(57)【要約】  画像処理装置上でのマルチファクタ・ユーザ認証の方法及びシステム。システムは、ユーザを認証し、ユーザ識別データに対応するユーザ情報を取り出すために用いるサーバを含む。ユーザ情報は、サーバから画像処理装置に送信され、画像処理装置によって処理される。処理済画像データは、画像処理装置に入力される暗号化データを用いることによって暗号化することも可能である。
2008537188.tif 000002
【特許請求の範囲】
【請求項１】
画像処理システムのユーザを認証する方法であって、
第１のユーザ識別データを画像処理装置において入力する工程と、
前記画像処理装置において、第２のユーザ識別データを物理オブジェクトから検出する工程と、
前記第１のユーザ識別データ及び前記第２のユーザ識別データを第１のサーバに送信する工程と、
前記ユーザを、前記第１のユーザ識別データ及び前記第２のユーザ識別データを用いて認証する工程と、
前記ユーザに対応する情報を前記第１のサーバから前記画像処理装置に送信する工程とを備える方法。
【請求項２】
請求項1記載の方法であって、第１のユーザ識別データを入力する工程が、
個人識別番号を入力する工程を備える方法。
【請求項３】
請求項1記載の方法であって、第１のユーザ識別データを入力する工程が、
前記ユーザに対応する生体情報を、生体情報を収集するよう構成された装置に前記ユーザの物理特性を提示することによって入力する工程を備える方法。
【請求項４】
請求項3記載の方法であって、第１のユーザ識別データを入力する工程が、
前記ユーザの顔特性、指紋、網膜情報及び音声情報のうちの少なくとも１つを含む、前記ユーザの物理特性を入力する工程を備える方法。
【請求項５】
請求項3記載の方法であって、
認可されたユーザに対応する複数の格納生体情報と、前記入力された生体情報とを比較する工程と、
認可されたユーザに対応する前記複数の生体情報の１つに、入力された生体情報が一致するかを判定する工程とを更に備える方法。
【請求項６】
請求項３記載の方法であって、前記第２のユーザ識別データを検出する工程が、
前記第２のユーザ識別データを、メモリを有する装置から検出する工程を備える方法。
【請求項７】
請求項1記載の方法であって、前記第２のユーザ識別データを検出する工程が、
前記第２のユーザ識別データを、メモリを有する装置から検出する工程を備える方法。
【請求項８】
請求項6記載の方法であって、前記第２のユーザ識別データを検出する工程が、
前記第２のユーザ識別データを、カードであるメモリから検出する工程を備える方法。
【請求項９】
請求項1記載の方法であって、第２のユーザ識別データを検出する工程が、
前記ユーザ識別データによって識別される、前記ユーザに対応するディジタル署名を検出する工程を備える方法。
【請求項１０】
請求項1記載の方法であって、第２のユーザ識別データを検出する工程が、
前記ユーザ識別データに対応する暗号化情報を検出する工程を備える方法。
【請求項１１】
請求項1記載の方法であって、前記第１のユーザ識別データ及び前記第２のユーザ識別データを用いて前記ユーザを認証する工程が、
前記第１の識別データ及び前記第２の識別データを格納ユーザ識別データに対して比較する工程と、
前記第１の識別データ及び前記第２の識別データが前記格納ユーザ識別データに一致するかを判定する工程とを備える方法。
【請求項１２】
請求項１記載の方法であって、前記ユーザに対応する情報を前記第１のサーバから前記画像処理装置に送信する工程が、
前記画像処理装置の走査設定に関する情報を送信する工程を備える方法。
【請求項１３】
請求項12記載の方法であって、前記ユーザに対応する情報を前記第１のサーバから前記画像処理装置に送信する工程が、
走査される画像の解像力、濃度、走査モード、色、用紙サイズ、及びファイル形式の設定に関する情報を送信する工程を備える方法。
【請求項１４】
請求項１記載の方法であって、前記ユーザに対応する情報を前記第１のサーバから前記画像処理装置に送信する工程が、
処理済画像データの宛先に対応するネットワーク・アプリケーションの識別性を示す情報を送信する工程を備える方法。
【請求項１５】
請求項１記載の方法であって、前記ユーザに対応する情報を前記第１のサーバから前記  画像処理装置に送信する工程が、
前記画像処理装置によって実行されるよう構成された実行可能なファイルを送信する工程を備える方法。
【請求項１６】
請求項1記載の方法であって、
前記画像処理装置の画像処理設定を、前記第１のサーバから受信される、前記ユーザに対応する前記情報に基づいて変更する工程を更に備える方法。
【請求項１７】
請求項1記載の方法であって、
前記画像処理装置のユーザ・インタフェースを、前記第１のサーバから受信される、前記ユーザに対応する前記情報に基づいて変更する工程を更に備える方法。
【請求項１８】
請求項1記載の方法であって、
前記画像処理装置の機能を、前記第１のサーバから受信される、前記ユーザに対応する前記情報に基づいて変更する工程を更に備える方法。
【請求項１９】
請求項1記載の方法であって、前記第１のユーザ識別データ及び前記第２のユーザ識別データを第１のサーバに送信する工程が、
前記第１のユーザ識別データ及び前記第２のユーザ識別データを第２のサーバに送信する工程と、
前記第１のユーザ識別データ及び前記第２のユーザ識別データを前記第２のサーバから前記第１のサーバに送信する工程とを備える方法。
【請求項２０】
請求項19記載の方法であって、
前記第１のサーバにおけるユーザ認証が首尾良く行われた旨を示す確認を前記第１のサーバから前記第２のサーバに送信する工程を更に備える方法。
【請求項２１】
請求項20記載の方法であって、
前記ユーザに対応する前記情報に対する要求を前記第２のサーバから前記第１のサーバに送信する工程を更に備える方法。
【請求項２２】
請求項21記載の方法であって、
前記ユーザに対応する前記情報を前記第１のサーバから前記第２のサーバに前記要求に応答して送信する工程と、
前記ユーザに対応する前記情報を前記第２のサーバから前記画像処理装置に送信する工程とを更に備える方法。
【請求項２３】
請求項1記載の方法であって、
前記画像処理装置において暗号化情報を検出する工程と、
前記画像処理装置によって処理された画像データを暗号化する工程と、
前記暗号化画像データを前記画像処理装置からネットワーク・アプリケーションに送信する工程とを更に備える方法。
【請求項２４】
請求項23記載の方法であって、
前記暗号化画像データを前記画像処理装置から前記第２のサーバに送信する工程を更に備える方法。
【請求項２５】
請求項24記載の方法であって、
前記暗号化画像データを前記第２のサーバから、前記第２のサーバに接続されたネットワーク・アプリケーションに送信する工程を更に備える方法。
【請求項２６】
請求項23記載の方法であって、
前記暗号化画像データを前記ネットワーク・アプリケーションから取り出し、前記画像データを復号する工程を更に備える方法。
【請求項２７】
画像処理システムのユーザを認証するシステムであって、
第１のユーザ識別データを画像処理装置において入力する手段と、
前記画像処理装置において、第２のユーザ識別データを物理オブジェクトから検出する手段と、
前記第１のユーザ識別データ及び前記第２のユーザ識別データを第１のサーバに送信する手段と、
前記ユーザを、前記第１のユーザ識別データ及び前記第２のユーザ識別データを用いて認証する手段と、
前記ユーザに対応する情報を前記第１のサーバから前記画像処理装置に送信する手段とを備えるシステム。
【請求項２８】
請求項27記載のシステムであって、
第１のユーザ識別データを入力する手段は、個人識別番号を含む第１のユーザ識別データを収集するシステム。
【請求項２９】
請求項27記載のシステムであって、
前記第１のユーザ識別データを入力する手段は、前記ユーザに対応する生体情報を含む第１のユーザ識別データを収集するシステム。
【請求項３０】
請求項29記載のシステムであって、
前記第１のユーザ識別データを入力する手段は、前記ユーザの顔特性、指紋、網膜情報及び音声情報のうちの少なくとも１つを含む、前記ユーザの物理特性を収集する手段を備えるシステム。
【請求項３１】
請求項29記載のシステムであって、
前記ユーザに対応する前記生体情報を、認可されたユーザに対応する複数の格納生体情報と比較する手段と、
前記ユーザに対応する前記生体情報が、認可されたユーザに対応する前記複数の生体情報のうちの１つに一致するかを判定する手段とを更に備えるシステム。
【請求項３２】
請求項29記載のシステムであって、
前記第２のユーザ識別データを検出する手段が、前記第２のユーザ識別データを、メモリを有する装置から検出するシステム。
【請求項３３】
請求項27記載のシステムであって、
前記第２のユーザ識別データを検出する手段が、前記第２のユーザ識別データを、メモリを有する装置から検出するシステム。
【請求項３４】
請求項32記載のシステムであって、
前記第２のユーザ識別データを検出する手段が、前記第２のユーザ識別データを、カードであるメモリから検出するシステム。
【請求項３５】
請求項27記載のシステムであって、
前記第２のユーザ識別データを検出する手段は、前記ユーザ識別データによって識別される前記ユーザに対応するディジタル署名を含む前記第２のユーザ識別データを検出するシステム。
【請求項３６】
請求項27記載のシステムであって、
前記第２のユーザ識別データを検出する手段は、前記ユーザ識別データに対応する暗号化情報を含む前記第２のユーザ識別データを検出するシステム。
【請求項３７】
請求項27記載のシステムであって、
前記ユーザを認証する手段は、前記第１の識別データ及び前記第２の識別データを格納ユーザ識別データと比較し、前記格納ユーザ識別データに前記第１の識別データ及び前記第２の識別データが一致するかを判定するシステム。
【請求項３８】
請求項27記載のシステムであって、
前記ユーザに対応する情報を送信する手段は、前記画像処理装置の走査設定に関する情報を送信するシステム。
【請求項３９】
請求項36記載のシステムであって、
前記ユーザに対応する情報を送信する手段は、走査される画像の解像力、濃度、走査モード、色、用紙サイズ、及びファイル形式の設定に関する情報を送信するシステム。
【請求項４０】
請求項27記載のシステムであって、
前記ユーザに対応する情報を送信する手段は、処理済画像データの宛先に対応するネットワーク・アプリケーションの識別性を示すシステム。
【請求項４１】
請求項27記載のシステムであって、
前記ユーザに対応する情報を送信する手段は、前記画像処理装置によって実行されるよう構成された実行可能なファイルを送信するシステム。
【請求項４２】
請求項27記載のシステムであって、
前記画像処理装置の画像処理設定を、前記第１のサーバから受信される、前記ユーザに対応する前記情報に基づいて変更する手段を更に備えるシステム。
【請求項４３】
請求項27記載のシステムであって、
前記画像処理装置のユーザ・インタフェース部を、前記第１のサーバから受信される、前記ユーザに対応する前記情報に基づいて変更する手段を更に備えるシステム。
【請求項４４】
請求項27記載のシステムであって、
前記画像処理装置の機能を、前記第１のサーバから受信される、前記ユーザに対応する前記情報に用いて変更する手段を更に備えるシステム。
【請求項４５】
請求項27記載のシステムであって、
前記第１のユーザ識別データ及び前記第２のユーザ識別データを送信する手段が、前記第１のユーザ識別データ及び前記第２のユーザ識別データを第２のサーバに送信し、
前記第１のユーザ識別データ及び前記第２のユーザ識別データを前記第２のサーバから前記第１のサーバに送信する手段を更に備えるシステム。
【請求項４６】
請求項45記載のシステムであって、
前記第１のサーバにおけるユーザ認証が首尾良く行われた旨を示す確認を前記第１のサーバから前記第２のサーバに送信する手段を更に備えるシステム。
【請求項４７】
請求項46記載のシステムであって、
前記ユーザに対応する前記情報に対する要求を前記第２のサーバから前記第１のサーバに送信する手段を更に備えるシステム。
【請求項４８】
請求項47記載のシステムであって、
前記ユーザに対応する前記情報を前記第１のサーバから前記第２のサーバに前記要求に応答して送信する手段と、
前記ユーザに対応する前記情報を前記第２のサーバから前記画像処理装置に送信する手段とを更に備えるシステム。
【請求項４９】
請求項27記載のシステムであって、
前記画像処理装置において暗号化情報を検出する手段と、
前記画像処理装置によって処理された画像データを暗号化する手段と、
前記暗号化画像データを前記画像処理装置からネットワーク・アプリケーションに送信する手段とを更に備えるシステム。
【請求項５０】
請求項49記載のシステムであって、
前記暗号化画像データを前記画像処理装置から前記第２のサーバに送信する手段を更に備えるシステム。
【請求項５１】
請求項49記載のシステムであって、
前記暗号化画像データを前記第２のサーバから、前記第２のサーバに接続されたネットワーク・アプリケーションに送信する手段を更に備えるシステム。
【請求項５２】
請求項47記載のシステムであって、
前記暗号化画像データを前記ネットワーク・アプリケーションから取り出し、前記画像データを復号する手段を更に備えるシステム。
【請求項５３】
画像処理システムのユーザを認証するシステムであって、
画像処理装置に接続され、第１のユーザ識別データを受信するよう構成された入力と、
前記画像処理装置に接続され、第２のユーザ識別データを物理オブジェクトから検出するよう構成されたセンサと、
前記第１のユーザ識別データ及び前記第２のユーザ識別データを第１のサーバに送信するよう構成された、前記画像処理装置のインタフェース部と、
前記第１のユーザ識別データ及び前記第２のユーザ識別データを用いて前記ユーザを認証するよう構成された、前記第１のサーバのモジュールと、
前記ユーザに対応する情報を前記第１のサーバから前記画像処理装置に送信するよう構成された、前記第１のサーバのインタフェースとを備えるシステム。
【請求項５４】
請求項53記載のシステムであって、
前記入力は、個人識別番号を含む前記第１のユーザ識別情報を受信するよう構成されたシステム。
【請求項５５】
請求項53記載のシステムであって、第１のユーザ識別データを受信するよう構成された前記入力が、
前記ユーザの物理特性を収集することによって、前記ユーザに対応する生体情報を収集するよう構成された装置を備えるシステム。
【請求項５６】
請求項55記載のシステムであって、
生体情報を収集するよう構成された前記装置は、前記ユーザの顔特性、指紋、網膜情報及び音声情報のうちの少なくとも１つを含む、前記ユーザの物理特性を表す情報を収集するよう構成されたシステム。
【請求項５７】
請求項55記載のシステムであって、生体情報を収集するよう構成された前記装置は、
認可されたユーザに対応する複数の格納された生体情報と前記収集生体情報を比較し、認可されたユーザに対応する前記複数の生体情報の１つに前記収集生体情報が一致するかを判定するよう構成されたプロセッサを備えるシステム。
【請求項５８】
請求項55記載のシステムであって、
前記センサは、前記第２のユーザ識別データを、メモリを有する装置から検出するよう構成されたシステム。
【請求項５９】
請求項53記載のシステムであって、
前記センサは、前記第２のユーザ識別データを、メモリを有する装置から検出するよう構成されたシステム。
【請求項６０】
請求項58記載のシステムであって、
前記センサは、前記第２のユーザ識別データを、カードであるメモリを有する装置から検出するよう構成されたシステム。
【請求項６１】
請求項53記載のシステムであって、
前記センサは、前記ユーザ識別データによって識別される前記ユーザに対応するディジタル署名を含む前記第２のユーザ識別データを検出するよう構成されたシステム。
【請求項６２】
請求項53記載のシステムであって、
前記センサは、前記ユーザ識別データに対応する暗号化情報を含む前記第２ユーザ識別データを検出するよう構成されたシステム。
【請求項６３】
請求項53記載のシステムであって、前記第１のサーバは、
前記第１の識別データ及び前記第２の識別データを格納ユーザ識別データと比較し、前記格納ユーザ識別データに前記第１の識別データ及び前記第２の識別データが一致するかを判定するよう構成された別のモジュールを備えるシステム。
【請求項６４】
請求項53記載のシステムであって、
前記第１のサーバのインタフェースは、前記画像処理装置の走査設定に関する情報を含む、前記ユーザに対応する情報を送信するよう構成されたシステム。
【請求項６５】
請求項62記載のシステムであって、
前記第１のサーバのインタフェースは、走査される画像の解像力、濃度、走査モード、色、用紙サイズ、及びファイル形式に関する情報を含む、前記ユーザに対応する情報を送信するよう構成されたシステム。
【請求項６６】
請求項53記載のシステムであって、
前記第１のサーバのインタフェースは、処理済画像データの宛先に対応するネットワーク・アプリケーションの識別性を示す情報を含む、前記ユーザに対応する情報を送信するよう構成されたシステム。
【請求項６７】
請求項53記載のシステムであって、
前記第１のサーバのインタフェースは、前記画像処理装置によって実行されるよう構成された実行可能なファイルを含む、前記ユーザに対応する情報を送信するよう構成されたシステム。
【請求項６８】
請求項53記載のシステムであって、前記画像処理装置は、
前記画像処理装置の画像処理設定を、前記第１のサーバから受信される、前記ユーザに対応する前記情報に基づいて変更するよう構成されたプロセッサを備えるシステム。
【請求項６９】
請求項53記載のシステムであって、前記画像処理装置は、
前記画像処理装置のユーザ・インタフェースを、前記第１のサーバから受信される、前記ユーザに対応する前記情報に基づいて変更するよう構成されたプロセッサを備えるシステム。
【請求項７０】
請求項53記載のシステムであって、前記画像処理装置は、
前記画像処理装置の機能を、前記第１のサーバから受信される、前記ユーザに対応する前記情報に基づいて変更するよう構成されたプロセッサを備えるシステム。
【請求項７１】
請求項53記載のシステムであって、
前記第１のユーザ識別データ及び前記第２のユーザ識別データを第２のサーバに送信するよう構成された、前記画像処理装置の前記インタフェース部と、
前記第１のユーザ識別データ及び前記第２のユーザ識別データを前記第２のサーバから前記第１のサーバに送信するよう構成された、前記第２のサーバのインタフェースとを備えるシステム。
【請求項７２】
請求項71記載のシステムであって、
前記第１のサーバのインタフェースは、前記第１のサーバにおいてユーザ認証が首尾良く行われた旨を示す確認を前記第１のサーバから前記第２のサーバに送信するよう構成されたシステム。
【請求項７３】
請求項72記載のシステムであって、
前記第２のサーバのインタフェースは、前記ユーザに対応する前記情報に対する要求を前記第２のサーバから前記第１のサーバに送信するよう構成されたシステム。
【請求項７４】
請求項73記載のシステムであって、
前記第１のサーバのインタフェースは、前記ユ―ザに対応する前記情報を前記第１のサーバから前記第２のサーバに前記要求に応答して送信するよう構成され、
前記第２のサーバのインタフェースは、前記ユーザに対応する前記情報を前記第２のサーバから前記画像処理装置に送信するよう構成されたシステム。
【請求項７５】
請求項53記載のシステムであって、
暗号化情報を検出するよう構成された、前記画像処理装置に接続された前記センサと、
前記画像処理装置によって処理された画像データを、前記暗号化情報を用いて暗号化するよう構成された、前記画像処理装置のプロセッサと、
前記画像処理装置からネットワーク・アプリケーションに前記暗号化画像データを送信するよう構成された、前記画像処理装置の前記インタフェース部とを更に備えるシステム。
【請求項７６】
請求項75記載のシステムであって、
前記画像処理装置の前記インタフェース部は、前記画像処理装置から前記第２のサーバに前記暗号化画像データを送信するよう構成されたシステム。
【請求項７７】
請求項76記載のシステムであって、
前記第２のサーバのインタフェースは、前記第２のサーバに接続されたネットワーク・アプリケーションに前記第２のサーバから前記暗号化画像データを送信するよう構成されたシステム。
【請求項７８】
請求項75記載のシステムであって、
前記暗号化画像データを前記ネットワーク・アプリケーションから取り出し、前記画像データを復号するよう構成された処理装置を更に備えるシステム。
【発明の詳細な説明】
【技術分野】
【０００１】
本発明は、画像処理システムのユーザを認証する方法及びコンピュータ・ベースのシステムに関する。
【背景技術】
【０００２】
過去数年にわたって、ネットワークを介して利用可能な文書関連アプリケーションの数及びタイプにおける増加がみられる。前述のアプリケーションは、種々の特定の内容（例えば、医療、法務、金融、マーケティング、科学、教育等）の文書の管理に特化した文書管理システムなどの文書管理システムを含み得る。他のアプリケーションには、電子メール・サーバ、ファクシミリ・サーバ、及び／又は通常郵便送達などの種々の配信システムがある。更に他のアプリケーションには、フォーマット変換や光学式文字認識などの文書処理システムがある。更なるアプリケーションには、種々の文書を格納し、編成し、管理するために利用される文書管理システムがある。種々の文書を格納し、編成し、管理するのに用いる前述の文書管理システムは、「バックエンド」アプリケーションと表すことができる。
【０００３】
前述のネットワーク・アプリケーションを画像処理装置（例えば、スキャナ、プリンタ、コピー機、カメラ）からアクセスする種々のシステムが考え出されている。一システムは、ネットワーク・アプリケーションによって文書を管理する各画像処理装置とコンピュータを関連付ける。コンピュータは、種々のネットワーク・アプリケーションと通信して、画像処理装置のユーザによる前述のアプリケーションの使用を可能にする。例えば、コンピュータは、アプリケーションが文書を管理するために必要なデータのフォーマット及びコンテンツについての情報をネットワーク・アプリケーションに要求し、ネットワーク・アプリケーションから受信する。コンピュータは、正しいフォーマット及び内容を提供するためにこの情報を処理し、画像処理装置を構成する。
【０００４】
前述のシステムは、ユーザを画像処理装置において単一ファクタのネットワーク・ユーザ認証を用いて認証する。単一ファクタのユーザ認証には通常、ネットワーク・サーバに送信されるユーザ名及びパスワードのみの入力が関係する。サーバは次いで、送出された情報を、システムへのアクセスが認可された、格納されたユーザ名及びパスワードと比較する。ネットワークへのアクセスを得るために必要な情報は全て、実際にネットワーク上に格納されるので、単一ファクタの認証は、認可されていないユーザに対する強いセキュリティを備えない。認可されたユーザのユーザ名又はユーザIDは通常知られており、したがって、認可されていないユーザがネットワークへのアクセスを得るためには、パスワードのみを損なえばよい。更に、企業ネットワーク上にパスワード・データを格納することによって、ネットワーク・アクセスを得るか、又はインサイダー不正を容易にすることもできる攻撃者に対する更なる脆弱性がもたらされる。
【０００５】
現行システムは、入力された認証情報に基づいた、ユーザ特有のカスタマイズの機能を提供することもできない。情報がネットワークに入力され、ユーザが認証されるが、ユーザ特有のカスタマイズはこのユーザ認証に基づいて行われない。
【発明の開示】
【発明が解決しようとする課題】
【０００６】
前述の画像処理システムの、よりセキュアであり、かつ、信頼度がより高いユーザ認証に対する必要性が存在していることを本願発明者は明らかにした。
【課題を解決するための手段】
【０００７】
本発明は、少なくとも１つの画像処理装置（複合機など）を含むが、好ましくは、いくつかの画像処理装置、画像処理装置に接続された文書マネージャ・サーバ、及び、文書マネージャ・サーバに接続されたネットワーク・アプリケーションを含む。文書マネージャ・サーバは、画像処理装置のエージェントとして、かつ、ネットワーク・アプリケーションへのゲートウェイとして機能する。システムは、ネットワーク上のマルチファクタ・ユーザ認証を提供する１つ又は複数の装置も含む。前述の認証装置（電子カード読み取り器、並びに／又は生体検出、及び／若しくは他の読み取り器装置又は検出装置の形態のものである）は、画像処理装置内又は画像処理装置近くにあり得る。
【０００８】
一実施例では、システムにログオンする処理をシステムのユーザが起動させると、複数ファクタのユーザ認証処理が用いられる。特に、ユーザは、ネットワークに対する認証を容易にするために２つ以上の情報を供給又は送出することが必要である。ユーザ認証情報は、ユーザが物理的に有しているもの（スマートカードやバイオメトリックなど）、及びユーザが知っているもの（個人識別番号（PIN）やパスワードなど）を含む。この情報は、画像処理装置内又は画像処理装置近くにある電子カード読み取り器又は生体検出装置を介して入力又は検出することが可能である。この初期の複数ファクタの認証に基づいて、ユーザに対応する情報が取り出され、文書マネージャ・サーバに送信される。文書マネージャ・サーバは次いで情報を軽量ディレクトリ・サーバに送信する。軽量ディレクトリ・サーバは、この情報を処理し、ネットワークをアクセスするためのユーザ認証に関して判断する。
【０００９】
本発明の別の実施例では、画像処理装置の設定、選好及び／又は機能を、ネットワークに対するユーザの認証が首尾良く行われると変えることができる。特に、ユーザが首尾良く認証されると、ユーザ特有情報がディレクトリ・サーバに送信される。ディレクトリ・サーバは次いで、ユーザ特有識別情報を処理してユーザを認証する。ディレクトリ・サーバは次いで、受信された識別情報に対応する格納された情報にアクセスして、画像処理装置の特定のユーザ設定又は選好に関して記憶された情報があるかを判定する。ユーザ選好情報は、取り出された場合、文書マネージャ・サーバを介して画像処理装置に送信される。画像処理装置は次いで、ユーザ選好情報を処理し、走査の設定、選好やその他の機能をこの受信された情報に基づいて変更する。
【００１０】
本発明の別の実施例では、処理済画像データは、このデータがネットワーク・アプリケーションに送信される前に暗号化される。処理済画像データを暗号化する場合、画像処理装置は、ユーザに対応する暗号化情報を、電子カード若しくはスマートカードから、又は別の場所から取り出す。この暗号化情報を用いて、画像処理装置によって処理される画像を、画像データがネットワーク・アプリケーションに送信される前に暗号化する。暗号化された情報がネットワーク・アプリケーションに配置されると、ユーザは次いで、同様な認証工程を行って、暗号化された画像処理データをネットワーク・アプリケーションから取り出さなければならない。一例では、文書マネージャ・サーバは、暗号化画像データをその宛先にセキュア／多目的メール拡張（S/MIME）を介して格納する。ユーザは次いで、暗号化されたS/MIME電子メールを別の場所から（例えば、自分のパソコンから）アクセスすることができる。ユーザは、暗号化された電子メールアクセスしようとすると、電子カードが要求される。ユーザは次いで、スマートカードを読み取らせ、ユーザに対応するPINを入力する。ユーザは次いで認証され、復号鍵及びネットワーク・アプリケーションへのアクセスが付与される。
【発明を実施するための最良の形態】
【００１１】
本発明、及びそれに付随する利点の多くの更に徹底的な理解は、添付図面に関して検討される以下の詳細な説明を参照することによってより深く理解されるゆえに、容易に得られるであろう。
【実施例】
【００１２】
次いで添付図面を参照すれば、同じ参照符号は、いくつかの図を通して同一の、又は対応する部分を表す。図１は、本発明によって文書を管理し、特に、種々のグループI乃至IIIにグループ化することが可能なアプリケーションに関する情報を処理することによって文書マネージャ・サーバ４０が文書及びファイルを管理することを可能にするシステム５のブロック図である。システム５は、複合機（MFD）１０乃至３０として実現することができる少なくとも１つの（しかし、好ましくは複数の）画像処理装置を文書マネージャ・サーバ４０に相互接続するネットワーク１００を含む。ネットワーク１００は好ましくは、TCP／IP（伝送制御プロトコル／インターネット・プロトコル）を用いるが、何れかの他の望ましいネットワーク・プロトコル（例えば、IPX／SPX（ネットワーク間パケット交換／シーケンシャル・パケット交換）、NetBEUI（NetBIOS拡張ユーザ・インタフェース）やNetBIOS（ネットワーク基本入出力システム））も可能である。ネットワーク１００は、ローカル・エリア・ネットワーク、ワイド・エリア・ネットワーク、何れかのタイプのネットワーク（イントラネット、エクストラネット、インターネットやそれらの組み合わせなど）であり得る。ネットワーク１００には、他の通信リンク（仮想専用ネットワーク若しくは無線リンク、又は何れかの他の適切な代替策）も用いることができる。
【００１３】
図１に示すように、装置１０乃至３０は、複合機（すなわち、「MFD」）であり得る。MFDは、複数のスキャナ、コピー機、プリンタ、ファックス機、ディジタル・カメラ、他の事務機、及びそれらの組み合わせを組み入れることができるか、又は、複数のスキャナ、コピー機、プリンタ、ファックス機、ディジタル・カメラ、他の事務機、及びそれらの組み合わせのうちの何れかであり得る。前述の装置のうちの何れか又は組み合わせは一般にMFDと呼ばれている。各種MFDが当該技術分野において一般に知られており、本発明のＭＦＤと共通の構成及びハードウェアを共有する。本発明の一実施例では、ＭＦＤは、有線又は無線の接続を介してインターネットに接続可能なポータブル装置（ディジタル・カメラなど）である。前述のＭＦＤはディジタル撮像及びインターネットの機能を組み合わせているので、静止画像、サウンド又はビデオを捕捉し、種々の場所からの有線又は無線の接続を用いて前述のマルチメディアを共有することが可能である。ＭＦＤによって、ウェブ・ページを作成し、添付物を有する電子メールを送信し、かつ受信し、画像、FTPファイルを編集し、インターネットをサーフィングし、ファックスを送出又は受信することが可能である。別の実施例では、ＭＦＤは、対応する図１３乃至１４によって以下に更に詳細に説明するように、スキャナ、写真複写機及びプリンタの１つ又は組み合わせである。
【００１４】
MFDは、電子カード又はメモリからの情報を受け入れるよう構成されたユーザ認証装置、及び／又は、ユーザによって入力される生体情報を検出するよう構成された生体装置にも接続される。前述のユーザ認証装置は、画像処理装置内、又は画像処理装置近くにあり得るものであり、画像処理装置と通信する。画像処理装置及びユーザ認証装置は、装置間の情報の転送を容易にするために、いずれのタイプの有線接続又は無線接続によっても接続することができる。「スマートカード」の語を本願を通して用いているが、この語は、ユーザ情報を格納し、電子装置によって読み取ることができる何れかのタイプのカード又はメモリ装置を表す。更に、カード、及びカードを読み取るために用いる装置は、カードから直接読み取るために用いる走査センサ、又は、あるいは、カードと物理的に接触することなく装置からデータを読み取るよう構成された近接センサであり得る。
【００１５】
図１に示すように、文書マネージャ・サーバ４０は、ディレクトリ／住所録サーバ６０（あるいは「ディレクトリ・サーバ」あるいは「グローバル・ディレクトリ」）に接続される。ディレクトリ・サーバ６０は、名前、住所、ネットワーク・アドレス、電子メール・アドレス、電話／ファックス番号、他のタイプの宛先情報、及び個人の認証などの情報を含み得る。他の情報もディレクトリ・サーバ６０に含めることが可能である。本発明との互換性を有するディレクトリ・サーバ６０の例には、ロータス・ノーツ（商標）、マイクロソフト・エクスチェンジ（商標）、LDAP（「軽量ディレクトリ・アクセス・プロトコル」）によってイネーブルされるディレクトリ・サーバが含まれるが、それらには限定されない。LDAPは、ユーザがネットワーク認証を行い、ネットワーク内の組織、個人、ファイル及び装置を位置特定することを可能にするソフトウェア・プロトコルである。文書マネージャ・サーバ４０は、MFDユーザの認証を制御するネットワーク・ドメイン・コントローラ５０に接続することも可能である。ディレクトリ・サーバは、認証装置又は画像処理装置において入力されるユーザ情報を受信し、ネットワークのユーザを認証するよう構成される。
【００１６】
ネットワーク・ドメイン・コントローラ５０は例えば、そのドメイン内のセキュリティ認証要求（ログインなど）に応答するサーバである。ネットワーク・ドメイン・コントローラ５０は、セキュリティ認証も任意的に処理することが可能な１つ又は複数のバックアップ・ネットワーク・ドメイン・コントローラによってバックアップすることができる。ディレクトリ・サーバ６０及びネットワーク・ドメイン・コントローラ５０の例は、内容を本明細書及び特許請求の範囲に援用する、西暦２００２年９月１６日付け出願の米国特許出願番号第10/243,645号に開示されている。
【００１７】
簡潔に述べれば、システム５は、ディレクトリ・サーバ６０において記憶された情報へのアクセスを、文書マネージャ・サーバ４０を介して、MFD１０乃至３０のユーザに付与する。システム５は、画像処理装置において認証されたユーザがディジタル署名をディレクトリ・サーバ６０に送信することも可能にする。ディジタル署名は認証情報装置から取り出され、他のユーザ特有識別情報（暗号化情報等など）をディジタル署名の代わりに送信することができる。
【００１８】
ディレクトリ・サーバ６０は次いで、ディジタル署名に関する選好情報を取り出すことができ、この選好情報をMFD１０乃至３０に送信する。この選好情報は、走査設定（解像力、濃度、走査モード、色、紙サイズ、ファイル・フォーマットや、MFDにおいて調節することが可能な何れかの更なる設定など）に関する情報を含み得る。選好情報は、処理済画像の宛先であるネットワーク・アプリケーションに関する情報（特定の電子メール・アドレス、バックエンド・システム、中間処理システムや、処理済データを受け入れるよう構成された何れかの他のネットワーク・アプリケーションを含む）も含み得る。中間処理システムは、以下に更に詳細に説明するように、ファイル編成変換システム、光学式文字認識や、何れかの同様に適切なシステムを含み得る。又、選好情報は、以下に更に詳細に記載するソフトウェア・プラグイン、又はMFDの機能の変更に関する何れかの他の情報を含み得る。この情報を受信した後、MFDは、ユーザが画像を処理する前に、選好情報を処理し、選好データに対応する変更を行う。
【００１９】
ユーザは、ディレクトリ・サーバ６０に格納された企業のグローバル・ディレクトリのサーチを要求することも可能である。文書マネージャ・サーバ４０は、サーチ要求をディレクトリ・サーバ６０に転送することが可能であり、サーチ結果（例えば、電子メール・アドレス及び／又はファックス番号）をディレクトリ・サーバ６０から受信することが可能である。文書マネージャ・サーバ40は次いで、サーチ結果をMFD２０に転送することが可能である。MFD２０はこれを一時的に格納し、表示することが可能である。ユーザは、表示された結果（例えば、電子メール・アドレス又はファックス番号）を選択し、文書を走査し、選択された宛先への走査文書の送信、電子メール及び／ファックス送付を要求することが可能である。
【００２０】
文書マネージャ・サーバ４０は、複数のネットワーク・アプリケーション５０、６０、７０、８０及び９０と、MFDとの間の中間エージェント、又はゲートウェイとして機能するよう構成することが可能である。アプリケーション７０、８０及び９０は、例えば、電子メール・サーバ、ファックス・サーバ、ファイル形式変換システム、光学式文字認識（OCR）システム、文書管理システム及びファイル格納システムやそれらの複数の組み合わせを含み得る。文書管理サーバ４０は、種々の文書管理システムやファイル格納システムなどの複数のバックエンド・システムをサポートすることができる。好ましい実施例では、電子メール・サーバは、文書マネージャ・サーバ４０に組み入れられる。電子メール・サーバは、ロータス・ノーツ（商標）電子メール・サーバ、マイクロソフト・エクスチェンジ（商標）電子メール・サーバ、及びSMTP（「単純メール転送プロトコル」）電子メール・サーバを含み得るが、それらに限定されない。好ましい実施例では、ファックス・サーバは、キャプタリス社のライト・ファックス(商標)サーバである。しかし、他の適切なファックス・サーバを本発明によって実現することができる。ファイル形式変換システムは、一形式（例えば、TIFF「タグ・イメージ・ファイル形式」）から別の形式（例えば、PDF「ポータブル文書形式」）に文書を変換するよう構成することが可能である。文書管理システムの例は、内容全体を本明細書及び特許請求の範囲に援用する、西暦2001年3月1日付け出願の米国特許出願第09/795,438号明細書、及び西暦2002年4月5日付け出願の米国特許出願第10/116,162号明細書に開示されている。他の文書管理システムには、特定の内容を有する文書の管理に特化したシステムが含まれる。例として、文書管理システムは、医療保険の相互運用性と説明責任に関する法律（HIPAA）の下で提供される医療及び保険の記録を管理する連邦政府公的保険制度運営センターによって実施されるシステムであり得る。ドキュメンタムは、格納された文書／記録／マルチメディア・ファイルの管理、格納や、その他の種々のファイル管理処理を行うために用いられるディジタル・ファイル管理システムの例示的なブランドである。法務、金融、マーケティング、科学、教育などの文書を管理及び／又は格納する他のシステムを文書マネージャ・サーバ４０に接続することが可能である。
【００２１】
前述の通り、文書管理サーバ４０は、複数の前述のシステムを同時にサポートすることができる。後述の通り、ソフトウェア・プラグインを介して複数のシステムをサポートするようプロファイルを構成することが可能であり、画像処理装置１０、２０、30の機能及びユーザ・インタフェースを前述のプラグインに基づいてカスタマイズすることが可能である。
【００２２】
前述のアプリケーションは例えば、グループI乃至IIIにグループ化することが可能である。グループIは、電子メール・サーバ及びファックス・サーバを含む配信システム群であり得る。グループIIは、ファイル形式変換システム及び光学式文字認識システムを含む中間処理群であり得る。そして、グループIIIは、文書管理システム及びファイル格納システムを含むバックエンド・システム群であり得る。グループI乃至IIIは、各カテゴリからの複数の装置を含み得る。例えば、文書管理サーバ４０は、各グループからの複数のアプリケーションに接続することが可能である。文書マネージャ・サーバ４０は、各グループ内のいくつかのアプリケーションに文書を送り出すことが可能である。好ましい実施例では、文書マネージャ・サーバ４０は、配信システム群内のアプリケーションのいくつかに文書を配信するが、中間処理群内の１つ又は複数のアプリケーションに、かつ、バックエンド・システム群の１つ又は複数のアプリケーションに文書を配信する。例えば、文書マネージャ・サーバ４０は、電子メール・サーバ及びファックス・サーバと、OCRシステムと、文書管理システムとに文書を配信することが可能である。他の組み合わせが他の実施例において可能である。
【００２３】
好ましい実施例では、MFD１０乃至３０、及び文書マネージャ・サーバ４０は、HTTP（「ハイパテキスト転送プロトコル」）プロトコル又はHTTPS（HTTPオーバ・セキュア・ソケット・レイヤ）プロトコルを用いてデータを交換する。他のプロトコル（例えば、TCP／IP、IPX／SPX、NetBEUIやNetBIOSなど）を同様に本発明に用いることが可能である。好ましくは、MFD１０乃至３０、並びに文書マネージャ・サーバ４０は、XML形式（「拡張可能マークアップ言語」）を用いてデータを交換する。HTMLなどの他の形式を同様に本発明に用いることが可能である。
【００２４】
一実施例では、文書マネージャ・サーバ40は、MFD１０乃至３０のプロファイルを管理するMFDプロファイラ２８０（図２に示す）を含み得る。システム５の管理者は、文書マネージャ・サーバ40上のプロファイル・ユーザ・インタフェースを介してプロファイルを作成し、変更し、維持することが可能である。プロファイルは、文書マネージャ・サーバ４０からMFDに送出される情報（例えば、パラメータ）を含む。この情報に基づいて、MFDは、そのユーザ・インタフェース及び機能を調節して文書マネージャ・サーバ４０と適切にインタフェースすることが可能である。この情報は、バックエンド・システムの存在又は導入に基づいてMFDの動作を修正することを可能にするための、MFDによって処理されるソフトウェア・プラグインも含み得る。文書マネージャ・サーバ４０は、文書マネージャ・サーバ４０に接続されたバックエンド・アプリケーションに対応するソフトウェア・プラグインを含む。例えば、MFDは、文書マネージャ・サーバを介してMFDに利用可能なオプション（例えば、特定の配信システム、中間処理システムや、バックエンド・システム）をユーザが選択することを可能にする選択肢を表示することが可能である。プロファイルに含まれる情報は、文書マネージャ・サーバ４０に接続された種々のアプリケーション７０乃至９０の識別情報であり得る。プロファイラ２８０は、識別情報（例えば、シリアル・ナンバー）をMFDから受信し、この識別情報を用いて、MFDがレジスタ（例えば、文書マネージャ・サーバ４０のメモリに格納されたデータ・テーブル）内に登録されているか否かを確認する。登録されている場合、プロファイラはMFDに、MFDに割り当てられたプロファイルを送出する。MFDが登録されていない場合、プロファイラはMFDを登録し、MFDにプロファイルを送出することが可能である。プロファイラは、２つ以上のプロファイルを格納することが可能である。好ましい実施例では、一プロファイルが各ＭＦＤに割り当てられ、２つ以上のMFDが同じプロファイルを共有することが可能である。「ソフトウェア・プラグイン」の語を用いてきたが、何れかのタイプのソフトウェア、プログラミング又はチップを用いてＭＦＤの動作を修正することが可能である。
【００２５】
プロファイルにおけるパラメータの例には、以下が含まれるが、これらに限定されない。
【００２６】
プロファイルを識別するプロファイルID、
ディレクトリ・サーバ６０を用いてLDAPツリー・サーチが文書マネージャ・サーバ４０上でイネーブルされるか否かを示すLDAPイネーブル・パラメータ、
LDAPサーチがイネーブルされた場合にLDAPツリーのデフォールト・サーチ・フィールドを提供する基本ドメイン名（DN）パラメータ、
ネットワーク・ドメイン・コントローラ４０を用いてネットワーク認証がイネーブルされているか否かを示すネットワーク認証パラメータと、
ＭＦＤがリセットし、ログイン情報の入力をユーザに要求する前に経過する期間を示すタイムアウト・パラメータと、
戻されるLDAPクエリ結果の最大数を判定する最大結果カウント・パラメータと、
文書マネージャ・サーバ４０にファックス・サーバが接続されているかを示すファックス・オプション・パラメータと、
文書マネージャ・サーバ４０に接続された走査後処理システム（例えば、電子メール・サーバ、ファイル形式変換システム、光学式文字変換システム等を含み得る）を示す走査後処理パラメータと、
文書マネージャ・サーバ４０に接続され、MFDによってアクセスすることができるバックエンド・システム（文書管理システム若しくはファイル格納システム、又は別の同様のタイプのシステムを含み得る）を示すバックエンド・パラメータと、
ソフトウェア・プラグイン（バックエンド・アプリケーションに関する特定の処理タスクを画像処理装置が行うことを可能にする実行可能なファイルを含む、図７A乃至図７Cに表す例示的なコード）が含まれるが、これらに限定されない。
【００２７】
他のパラメータもプロファイルに含めることが可能である。例えば、特定のユーザID、用紙のデフォールト・サイズ、走査解像力設定、文書フィーダの状態、画像処理工程の請求のための部門コードを反映するパラメータ、特定のユーザIDの更なる走査ジョブ・パラメータや、何れかの更なるパラメータを用いることができる。
【００２８】
バックエンド・パラメータは、ユーザが既にネットワークにログインした後、ユーザがバックエンド・システムにログインすることを要するかも示し得る。更に、バックエンド・パラメータは、ユーザが既にネットワークにログインしており、ネットワーク認証に基づいてバックエンド・システムを動作させるよう自動的に認証されているかを判定するための認証工程も開始させることができる。バックエンド・アプリケーションとMFD装置が適切にインタフェースするためにソフトウェア・プラグインが必要である旨をバックエンド・パラメータが示す場合、MFDは、ソフトウェア・プラグインの受信を要求する文書マネージャ・サーバ40にデータを送信する。
【００２９】
図２は、本発明の一実施例による、MFD２０と、文書マネージャ・サーバ４０との間で情報を交換するよう構成された、MFD２０のブラウザ２５を示す。ブラウザ２５の例は、内容全てを本明細書及び特許請求の範囲に援用する、西暦2002年9月16日付け出願の米国特許出願第10/243,643号明細書に開示されている。ブラウザ２５の更なる詳細を以下に記載する。図２は、文書マネージャ・サーバ４０のソフトウェア構成部分（上記認証機能を行うよう構成された認証装置２６０を含む）を示す。文書マネージャ・サーバ４０は、システム管理者がシステム５を管理することを可能にする管理装置２６５も含む。例えば、システムの管理者は、プロファイラ２８０を、管理装置２６５を介してアクセスして、文書マネージャ・サーバ４０に接続されたMFD１０乃至３０のユーザ・プロファイル及び／又はMFDプロファイルを設定することが可能である。ディレクトリ・ゲートウェイ２７０も文書マネージャ・サーバ４０内に含まれる。ディレクトリ・ゲートウェイ２７０は、ディレクトリ・サーバ６０と通信するよう構成される。文書マネ―ジャ・サーバ４０は、MFDから受信される文書を適切なアプリケーション７０、８０及び９０にルーティングするよう構成された文書ルータ２７５も含む。
【００３０】
図２に示すように、MFD２０は、例えば、MFD２０の走査エンジンを制御するエンジン制御サービス（ECS）２００を含む。メモリ制御サービス（MCS）２０５は、MFD２０のメモリへのアクセスを制御する。操作パネル制御サービス（OCS）２１５は、MFD２０のタッチ・パネル型液晶ディスプレイ（LCD）上に表示される出力を生成する。MFD２０のディスプレイ及びユーザ・インタフェースは、ＬＣＤディスプレイに限定されないが、何れかの他の適切な装置（ＬＣＤ、発光ダイオード（ＬＥＤ）ディスプレイ、陰極線管（ＣＲＴ）ディスプレイ、プラズマ・ディスプレイ、キーパッド、及び／又はキーボードなどであるが、これらに限定されない）、又は装置の組み合わせでもあり得る。OCS２１５は例えば、MFD操作のための通常のメニュー、及び図３A乃至図３Dに示すメニューを生成することが可能である。システム制御サービス（ＳＣＳ）２２５は、ＭＦＤ２０内のセンサを制御及び／又は監視する。例えば、ＳＣＳ２２５は、タッチ・スクリーン・センサ、紙詰まりセンサ、及び走査処理センサを制御する。よって、ＳＣＳ２２５は、センサからの情報に基づいてＭＦＤ２０の状態を管理することが可能である。ネットワーク制御サービス（ＮＣＳ）２２０は、ブラウザ２５と、文書マネージャ・サーバ４０との間の通信を制御する。任意的には、通信フォーマッティング装置又はルーチンの形式のセキュア・ソケット・レイヤ（ＳＳＬ）２３０が、ＮＣＳ２２０とブラウザ２５との間の通信に対して更なるセキュリティを備える。コマンド入力サービス（ＣＩＳ）２４０は、例えば、ＭＦＤ２０のＬＣＤタッチ・パネル及び／又はキーパッドからの入力情報を処理する。ＭＦＤのユーザは、ＬＣＤタッチ・パネル及びキーパッドを用いて情報及びコマンドを入力することが可能である。ＣＩＳ２４０は、ユーザによって入力される前述の情報及びコマンド（例えば、ＳＣＳ２２５によってＣＩＳ２４０に転送される）を処理することが可能である。ＣＩＳ２４０は、前述の処理に基づいてコマンド（例えば、表示コマンド）を生成し、ＭＦＤの他の構成部分にこのコマンドを（例えば、ＬＣＤ上にグラフィックを表示するためにＯＣＳ２１５に）送信することが可能である。ＣＩＳ２４０は、サーバ４０に関してブラウザ２５と処理するためにＮＣＳ２２０と情報及びコマンドを交換することも可能である。
【００３１】
通常のＭＦＤは、ＭＦＤの各ハードウェア構成部分を実現し、制御するファームウェアであるＥＣＳ、ＭＣＳ、ＯＣＳ、ＮＣＳ、ＳＣＳ及びＣＩＳを含む。しかし、本発明では、ＮＣＳ２２０は、ブラウザ２５と通信するよう構成される。例えば、ＮＣＳ２２０は、ＨＴＴＰプロトコルを用いて通信する更なる機能を有する。NCS２２０は、NCS２２０がブラウザ２５とサーバ４０との間でデータを交換するようにサーバ４０と通信するようにも構成される。例えば、NCS２２０は、サーバ４０に識別情報を送信し、プロファイルを受信することが可能であり、電子メール・アドレスに対する要求を送信することが可能であり、選択された電子メール・アドレスをサーバ４０から受信することが可能であるか、又は、NCS２２０はログイン情報をサーバ４０に送信することが可能であり、認証処理中にサーバ４０（及びディレクトリ・サーバ６０）からユーザ認証確認を受信することが可能である。ＮＣＳ２２０は、上記認証手順を起動させるか、図３A乃至図３Bに表すユーザ・インタフェースを変えることができる文書マネージャ・サーバ４０からプラグイン情報を受信することもできる。
【００３２】
ブラウザ２５は、ＭＦＤ２０のネットワーク制御サービス（ＮＣＳ）２２０と通信するＨＴＴＰコマンド・プロセッサ２３５を含む。例えば、ＭＦＤキーパッドを介してユーザによって入力される電子メール・アドレスに対する要求、又はＬＣＤ上の情報の表示に対する要求（図３A乃至図３Bなど）は、ＨＴＴＰコマンド・プロセッサ２３５によってＮＣＳ２２０からブラウザ２５に転送することが可能である。ＨＴＴＰコマンド・プロセッサ２３５は、ＨＴＭＬ形式のデータをブラウザのＨＴＭＬパーサ２５０と交換することが可能であり、ＸＭＬ形式のデータをＸＭＬパーサ２５５と交換することが可能である。パーサ２５０及び２５５は、ＨＴＴＰコマンド・プロセッサ２３５からのデータを構文について確認し、ＨＴＴＰコマンド・プロセッサ２３５のデータを処理することが可能である。本発明は、コンパイラの一部として通常含まれる通常のパーサを含み得る。
【００３３】
ＨＴＴＰコマンド・プロセッサ２３５には、特定のアプリケーション（サーバ４０のディレクトリ・サービスによって実施することが可能なユーザ認証処理など）を実施するプログラム・コード又はソフトウェア・プラグインを備えることが可能である。HTTPコマンド・プロセッサ２３５は、特定のアプリケーションの定義に基づいて情報を処理することが可能である。例えば、HTTPコマンド・プロセッサ２３５は、ユーザによって与えられる情報（ユーザ名やパスワードなど）を処理し、サーバ４０に対するHTTP要求をこの処理に基づいて生成することが可能である。HTTPコマンド・プロセッサ２３５は、サーバ４０に送信する対象のこのHTTP要求をNCS２２０に送信することが可能である。HTTPコマンド・プロセッサ２３５は、特定のバックエンド・システム機能に関するプラグイン情報も受信することが可能である。前述のプラグインによって、文書マネージャ・サーバ４０に送信される画像ファイルに処理命令、メタデータや、その他の索引情報をユーザが追加することが可能になる。
【００３４】
HTTPコマンド・プロセッサ２３５は、サーバ４０から（NCS２２０を介して）受信された情報も処理することが可能である。例えば、HTTPコマンド・プロセッサ２３５は、MFDを動作させるパラメータ又はソフトウェア・プラグインを有するプロファイルを含む、サーバ４０によって生成されたHTTP応答を受信することが可能である。HTTPコマンド・プロセッサ２３５は、この情報を処理し、情報によってＭＦＤを制御するためのコマンドを生成することが可能である（例えば、適切なボタンを有するメニューの表示、又は特定のユーザＩＤの走査ジョブ・パラメータによる走査をＭＦＤに要求することが可能である）。別の例として、ＨＴＴＰコマンド・プロセッサ２３５は、ＬＣＤパネルのグラフィック描画コマンドを生成することが可能である。ＨＴＴＰコマンド・プロセッサ２３５は、実行される対象のコマンドを適切なＭＦＤファームウェア（例えば、ＯＣＳ２１５）に送信することが可能である。例えば、ＯＣＳ２１５は、グラフィック描画コマンドを受信し、ＬＣＤパネル上にグラフィック（例えば、図３A乃至３B）を表示することによってこれを実行することが可能である。
【００３５】
図３A乃至図３Bは、ＭＦＤによってのユーザ・インタフェース上に表示されるユーザ・インタフェースの例示的な表現を示す図である。前述の図に関する、後述の認証工程は第２のユーザ認証のみに関する。この第２のユーザ認証は、図５及び図6A乃至図6Bを参照して後述するマルチファクタ認証を用いてユーザがシステムに既にログインされている場合にのみ、行われる。
【００３６】
図３A乃至図３Bは、ユーザに命令を供給するためのユーザ・インタフェース302乃至303、及びタッチ感応型ボタン（例えば、図１に示すシステムにユーザ入力を供給するためのボタン３０５乃至３３０）の例を示す。前述の通り、ユーザ・インタフェース３０２乃至３０３は好ましくはLCDタッチ・パネルであるが、何れかの組み合わせのディスプレイ及び入力装置（LCD、LED、CRT、プラズマ・ディスプレイ、キーパッド、及び／又はキーボードなどであるが、これらに限定されない）を用いることが可能である。
【００３７】
図３Aは、ユーザが「ライト・ファックス」タブ315を選択すると表示されるユーザ・インタフェース３０２を示す。ライト・ファックスは、ファクシミリ処理サーバの例示的な実施例として表しているが、何れかの他の適切なファクシミリ処理サーバを同様に実現することができる。ファクシミリ・ユーザ・インタフェース３０２は、送信済ファクシミリの件名を入力するための「件名」テキスト領域３６１、及び「ファックス番号」３６７及び「請求コード」３６６の情報フィールドを含む。「請求コード」フィールドは、処理中のジョブに関連した請求コードを入力するために用いることが可能であり、ファックスされたジョブの請求情報を適切に追跡するためにデータベースに格納することができる。「名前の付加」３３９ボタン及び「除外」３４１ボタンも設けている。これによって、名前又は電話番号の付加、及び、この番号の除外それぞれがユーザに可能になる。ファクシミリを送信する送出処理は、図１０A乃至図１０Bを参照して以下に更に詳細に説明する。
【００３８】
図３Bは、ユーザが「ドキュメンタム」タブ３２０を選択すると表示されるユーザ・インタフェース３０３を示す。ドキュメンタムは、格納された文書／記録／マルチメディア・ファイルに対する管理、格納、及びその他の種々のファイル管理処理を行うのに用いられるディジタル・ファイル管理システムの例示的なブランドである。ユーザが「ドキュメンタム」タブ３２０を選択した際にユーザがまだ認証されていないネットワーク上にドキュメンタム・システムがある場合、「ドキュメンタム」システム・ネットワークへユーザのログインをプロンプトするユーザ・インタフェースが表示される。ユーザ・インタフェース３０３は、「ユーザ名」３７５、「パスワード」３８０及び「ドックベース」３８５のプロンプトを含む。システムは、「ドキュメンタムへのログイン」ボタン３６９及び「リセット」ボタン３７０も含む。「ドキュメンタムへのログイン」ボタンは、ドキュメンタム・システムへのユーザ・ログイン情報の送信を起動させ、それによって、ユーザが認証し、ドキュメンタム・システムへのアクセスを得ることが可能になる。ユーザがドキュメンタム・システムへのアクセスを得ると、文書を特定の場所に格納することが可能であり、印刷するよう文書を取り出すことが可能であり、取り出される文書を、規定された受領者に電子メール送付することが可能である。他の機能も、選択されたバックエンド・アプリケーションに基づいて行うことが可能である。
【００３９】
「ドキュメンタム」をバックエンド・システムの例として表しているが、何れかの他のバックエンド・アプリケーションも同様に扱うことが可能である。更に、サポートされるバックエンド・アプリケーションの数に応じて含まれるユーザ・オプションが増減するようにユーザ・インタフェースをカスタマイズすることができる。走査済画像をバックエンド・システムに送信する送出処理は、図９A乃至図９Bを参照して以下に更に詳細に説明する。
【００４０】
図４A、４B及び図５、図６A乃至図６B、図７A乃至図７C、図９A乃至図９B、図１０A乃至図１０B、及び図１１は、本発明の種々の実施例による、ユーザを認証し、文書マネージャ・サーバ４０によって文書を管理するために用いる方法において行われる工程を表すフローチャートである。
【００４１】
図４Aに示す処理は、文書マネージャ・サーバ４０によって行われる方法を示す。工程４００では、文書マネージャ・サーバ４０は、プロファイルに対する要求を画像処理装置又はＭＦＤから受信する。この要求は、要求MFDを識別する識別情報を含み得る。識別情報は、MFDのシリアル・ナンバー、及び／又はMFDの群識別情報や、その他の識別情報を含み得る。群識別情報は例えば、組織の特定の部門にＭＦＤが属し、群が、特定の機能（例えば、法務、会計、マーケティング）を有するか、あるいは、特定の場所（例えば、階、建物、町、州、国）を有するか、あるいは特定のセキュリティ・レベルを有する、等の表示であり得る。あるいは、識別情報によって、前述のような、更なる識別情報（部門、群など）や、何れかの他の更なる情報を文書マネージャ・サーバ４０が調べることが可能になる。
【００４２】
工程405では、文書マネージャ・サーバ４０は例えば、登録済ＭＦＤを格納しているレジスタ内の識別情報を調べることによって、MFDが登録されているか否かを調べる。MFDが登録されている場合、工程410で、文書マネージャ・サーバ４０は、MFDに割り当てられたプロファイルを探索する。MFDが登録されていない場合、工程415で、文書マネージャ・サーバ４０は、登録済MFDの数を所定数と比較することが可能である。この所定数は例えば、文書マネージャ・サーバ４０に接続された特定のアプリケーションを用いるようライセンスされた最大数の装置であり得る。この所定数（及びその関連アプリケーションを識別する情報）は、文書マネージャ・サーバ４０に格納することが可能であり、例えば、ネットワーク・アプリケーションと、ＭＦＤによって便益を受ける組織との間のライセンス契約に応じた、５、２５、１００や何れかの所望の数であり得る。MFDがそのユーザ・インタフェース及び機能を適宜変更することが可能であるように、ライセンス情報もMFDプロファイルに含めることが可能である。登録済画像処理装置の数が所定数よりも少ない場合、文書マネージャ・サーバ４０は、工程420で、MFDを登録し、工程410で、MFDに割り当てられたプロファイルを探索することが可能である。登録済画像処理装置の数が所定限度に等しい場合、文書マネージャ・サーバ４０は、工程425で、メッセージをMFDに送信することが可能である。このメッセージは、最大のライセンスMFD数に達したので、MFDに文書マネージャ・サーバに利用可能なサービスが利用可能でない旨を示すエラー・メッセージであり得る。
【００４３】
工程430では、文書マネージャ・サーバ４０は、利用可能な配信オプション（例えば、ファックス・サーバ、電子メール・サーバ）を判定し、この情報をプロファイルに追加する。工程435では、文書マネージャ・サーバ４０は、利用可能な中間処理システムを判定し、この情報をプロファイルに追加する。工程440では、文書マネージャ・サーバ４０は、利用可能なバックエンド・システムを確かめ、この情報をプロファイルに追加する。この工程は任意的には、特定のバックエンド・システムと動作することを可能にするカスタマイズされた機能をMFDが実現することを可能にするプラグインの付加を含む。工程445では、文書マネージャ・サーバ４０は、プロファイル及び何れかのプラグインを、登録済の画像処理装置に送出する。
【００４４】
文書マネージャ・サーバ４０は、いくつかの画像処理装置について上記工程を繰り返すことが可能である。画像処理装置が組織内の同じ群に属する場合、文書マネージャ・サーバ４０は同じプロファイルを画像処理装置それぞれに送信することが可能である。MFDがそのプロファイルを文書マネージャ・サーバ４０から受信した後、MFDは、図４Bを参照して次に記載されるように、プロファイル及び対応するプラグインにおいて備えられる種々のパラメータに基づいて初期表示ユーザ・インタフェースを作成することが可能である。
【００４５】
図4Bに示す処理は、画像処理装置（例えば、MFD）によって行われる方法を示し、例えば、画像処理装置がユーザによってオンにされると開始し得る。工程450では、MFDは、プロファイルに対する要求を文書マネージャ・サーバ４０に送出する。前述の通り、この要求は、画像処理装置のシリアル・ナンバーなどの識別情報を含み得る。工程455では、MFDは、文書マネージャ・サーバ４０からプロファイルが受信されたか否かを照会する。プロファイルが受信されなかったが、その代わりにエラー・メッセージが文書マネージャ・サーバ４０から受信された場合、MFDは工程460でメッセージを表示する。プロファイルが受信された場合、MFDは工程465で、受信されたプロファイルを処理する。次いで、工程467で、MFDは、ソフトウェア・プラグインを必要とするバックエンド・アプリケーションが受信プロファイルによってイネーブルされるかを判定する。ソフトウェア・プラグインが必要な場合、工程468で、MFDはメッセージを文書マネージャ・サーバに送信し、文書マネージャ・サーバは、必要なプラグインをMFDに送信する。プラグインは、利用可能なバックエンド・システムとインタフェースするのに必要なユーザ・インタフェース３A乃至３Bの作成又はカスタマイズを支援するためにMFDによって用いることが可能である。ソフトウェア・プラグインは更に、プロファイル情報と連係して若しくは同時に、又は何れかの他の時間に受信し得る。この処理の一部として、MFDは、プロファイル・パラメータの関数として表示を生成することが可能である。例えば、MFDは、プロファイルにおいて識別されたバックエンド処理システム及び中間処理システムに基づいて特定のメニュー又はユーザ・インタフェースを生成することが可能である。前述のユーザ・インタフェース又はメニューは、文書マネージャ・サーバからMFDにおいて受信されるバックエンド及び中間処理システムに対応する更なるプラグイン情報から生成することができる。受信されたプロファイル及びプラグイン情報に基づいてユーザ・インタフェースをカスタマイズするこの工程によって、ユーザ又はMFDがアクセスを許可されていないバックエンド処理システム又は中間処理システムに対応するユーザにユーザ・インタフェース又はメニュー・オプションをMFDが提示することが妨げられる。工程465では、MFDは、そのLCD上にデフォールト設定に基づいてグラフィックスも表示することが可能である。
【００４６】
プロファイルにおいて供給されるパラメータは、MFDの場合、任意的な機能に相当し得る。デフォールト機能がイネーブルされる旨をプロファイルが示すか否かを照会することなく、利用可能な機能に対応するグラフィクスをMFDが自動的に表示するようにMFD内のデフォールトによって他の機能がイネーブルされる。前述のデフォールト機能に対応するパラメータは所望の場合、プロファイルの一部でなくてよい。図4Bに示す例では、ログイン機能、ファックス機能及びLDAP機能は任意であるので、MFDは、プロファイルに含まれたパラメータを検討することによってそのイネーブルについて照会する。更にこの例では、電子メール機能は、デフォールトでイネーブルされるので、MFDは前述の機能について照会しない。本発明はこの例に限定されず、任意／デフォールトの機能の他の組み合わせが本発明の範囲内にある。
【００４７】
工程470では、MFDは、ログイン機能がイネーブルされるかをそのプロファイルが示すか否かを照会する。ログイン機能がイネーブルされている場合、MFDは、工程475で、そのLCDパネル上のログイン・ボタンを表示する。ログイン機能がイネーブルされていない場合、MFDは工程480に飛ぶ。工程４８０では、ファックスのオプションがイネーブルされているかをそのプロファイルが示しているか否かを照会する。ファックス機能がイネーブルされている場合、MFDは工程485で、LCD上のファックス・タブ３１５を表示又はイネーブルする。ファックスのオプションがイネーブルされていない場合、MFDは工程490に飛ぶ。工程490では、MFDは、プロファイルにおいて備えられるタイマ値に基づいてMFD自動ログアウト・タイマを設定する。
【００４８】
工程495では、MFDは、LDAPオプションがイネーブルされているかをそのプロファイルが示すか否かを照会する。LDAPオプションがイネーブルされている場合、工程497で、MFDは、プロファイルの一部として備えられるLDAPクエリのベース識別名（DN）を設定する。より狭いサーチ・フィールドが要求されない限り、ベースDNが、LDAPサーチが行われるデフォールトのサーチ・フィールドを備える。LDAPオプションがイネーブルされていない場合、MFDは工程497をスキップする。前述の工程を行った後、MFDは、MFDの初期ユーザ・インタフェース（図３A乃至図３Bに示すユーザ・インタフェースなど）の生成に用いる適切な情報を収集し、設定するのに用いる工程を完了している。本発明は、図４A乃至図４Bに示す工程の順序に限定されない。
【００４９】
MFDによって表示される前述の初期ユーザ・インタフェースやその他のメニューを用いれば、MFDのユーザは、ネットワーク上で利用可能な種々のサービスに文書管理サーバ４０を介してアクセスすることが可能である。一般に、文書マネージャ・サーバ４０は、ジョブ情報を画像処理装置から受信し、このジョブ情報を文書マネージャ・サーバ４０において処理し、文書マネージャ・サーバ４０に接続されたアプリケーションに処理済情報を送信する。
【００５０】
図５は、本発明の一実施例による、ユーザをMFDにおいて認証する方法を示す。工程５０５では、ユーザはスマートカードをスマートカード読み取り器に挿入する。スマートカード読み取り器はMFD１０乃至３０内にあり得るか、又はMFD１０乃至３０の外にあり得る。スマートカード読み取り器が、MFD１０乃至３０内にない場所にある場合、MFDは、認証処理を個々に行い、認証が首尾良く行われると、又は首尾良く行われないと、MFD１０乃至３０による認証の結果を通信することができる。ユーザがスマートカードをスマートカード読み取り器に入れると、ユーザには工程５１０で、個人識別番号（PIN）がプロンプトされる。ユーザは、ユーザの物理属性に関する生体情報を入力する必要もあり得る。これは、ユーザの指紋の読み取り、ユーザの網膜の走査、ユーザの音声の検出、又はユーザに対する顔認識の実行を含み得る。この入力生体情報を次いで、スマートカードに格納された、ユーザの規定された生体情報の数理モデルと比較される数式に変換することもできる。同様に、上記PINは次いで、工程５１５で、MFD又はスマートカード読み取り器によってスマートカードによって格納されたPINと比較される。認証工程が完了し、首尾良く行われると、MFDは、カードのユーザに特有のスマートカードに格納された情報にアクセスする。この情報はユーザ識別情報を含み、ユーザ情報に関連したディジタル署名を含み得る。スマートカードから取り出される情報は、ユーザID又はディジタル署名に限定されない一方、ユーザに特有の、他の形式のユーザ特有情報も含み得る。更に、スマートカードは必要でなく、本発明は、他の装置、メモリ、プロセッサ、及び関連した読み取り装置を用いて実現することができる。例えば、不揮発性メモリを含む何れかの所望の装置を用いることが可能である。
【００５１】
工程５２５では、スマートカードから取り出されたディジタル署名が有効であるかを判定する。このディジタル署名が有効でない場合、MFDは工程５２０でこのユーザのアクセスをディセーブルする。あるいは、ディジタル署名が有効な場合、工程５３０で、文書管理サーバは、ユーザID及びディジタル署名を文書マネージャ・サーバに送信する。文書マネージャ・サーバは次いで、MFDに送出されるユーザ特有ジョブ処理命令を得る。工程５３５では、ユーザは、処理するためにMFD上に文書を設定する。ユーザは次いで、工程５４０で、処理済画像の宛先を入力するようプロンプトされる。宛先は、電子メール・アドレス、文書管理システムにおけるフォルダ、又は、文書管理サーバに接続されたネットワーク・アプリケーションであり得る。宛先及び種々の他のパラメータは、工程５３０で、文書マネージャ・サーバから送出されるユーザ特有ジョブ処理命令によって自動的に設定することができる。
【００５２】
工程５４５で、ユーザ特有情報、又は、暗号化が望まれる場合、スマートカードから工程５２５で取り出されるディジタル署名に基づいて、処理済画像の暗号化がイネーブルされる。この画像は、スマートカードから取り出されたディジタル署名や、画像処理装置のユーザに関して格納された何れかの他の個人情報又は暗号化情報を用いて暗号化することができる。工程５５０で、ユーザは画像の走査を起動させ、工程５５５で、MFDは、暗号化された走査データを文書マネージャ・サーバに送出する。文書マネージャ・サーバは次いで、画像を処理し、工程５６０で、暗号化された走査データを、対象の宛先に送出する。ユーザが暗号化をイネーブルすると、処理済画像のみを作成することができるか、又は電子メールの暗号化の意味合いでは、電子メール全体を暗号化することができる。
【００５３】
図６A及び図６Bは、文書管理サーバを介してスマートカードを用いるユーザ認証を更に詳細に示す図である。工程６０５では、ユーザは、電子部品（又はスマートカード）を電子カード（又はスマートカード）読み取り器に挿入する。スマートカード読み取り器は、MFDの筐体近く又は筐体内に配置することができる。生体情報入力をユーザから収集するために生体検出装置も含めることができる。スマートカード読み取り器及びMFDは、種々の周知の通信プロトコル及び手法を用いて有線又は無線で通信することが可能である。ユーザがカードをカード読み取り器に挿入すると、ユーザは次いで、工程６１０で、PIN及び／又は生体情報を入力するようプロンプトされる。
【００５４】
工程６１５で、スマートカード上に格納された情報に、入力されたPIN及び／又はバイオメトリックが対応していることをスマートカード読み取り器又はMFDが検証する。特に、生体認証がイネーブルされると、ユーザの生体パラメータを表す数理モデルが電子カード内に格納される。しかし、数理モデルは必要でなく、生体情報を（データ又はパラメータを格納することなどによって）格納する他のやり方が可能である。ユーザが生体パラメータを工程６１０で入力すると、バイオメトリックは数理モデルに変換される。この数理モデルは次いで、工程６１５で、スマートカードに格納されたモデルと比較される。やはり、前述の通り、この検証は、システム構成に応じて、スマートカードにおいて、若しくはMFDによって、又は両方によって行うことができる。
【００５５】
認証が首尾良く行われると、工程６２０で、MFDはユーザのディジタル署名及びユーザIDをスマートカードから読み取る。工程６２５で、MFDは、工程６２０で取り出されたユーザID及びディジタル署名を文書マネージャ・サーバに送信する。文書マネージャ・サーバは次いで、ユーザ識別情報及びディジタル署名を工程６３０でディレクトリ・サーバに送信する。ディレクトリ・サーバはユーザの識別情報及び更なる情報を検証する。工程６３５で、ディレクトリ・サーバは、ユーザID及びディジタル署名が有効であるか否かを判定する。ユーザID及びディジタル署名が、ディレクトリ・サーバによって無効であると工程６４０で認められた場合、ディレクトリ・サーバは、更なる情報がネットワーク上で受け入れられない旨を示すメッセージをMFDに文書マネージャ・サーバを介して送信する。工程６４５で、MFDは次いで、文書マネージャ・サーバから受信された、首尾良く行われなかった確認に基づいてユーザ・アクセスをディセーブルする。しかし、ユーザID及びディジタル署名が工程６５０で、ディレクトリ・サーバによって検証され、受け入れられた場合、サーバは認証確認を文書マネージャ・サーバに送出する。
【００５６】
確認に応答して、文書マネージャ・サーバは工程６５５で、ユーザのジョブ処理命令をディレクトリ・サーバに要求する。次いで、工程６６０で、ディレクトリ・サーバは、ユーザ識別情報に関するジョブ処理命令、及び文書マネージャ・サーバから受信される更なる情報を取り出し、ジョブ処理命令を文書マネージャ・サーバに送信する。工程６６５で、文書マネージャ・サーバはユーザのジョブ処理命令をMFDに文書マネージャ・サーバから送信する。工程６７０で、MFDは、走査設定及びジョブ処理命令を、文書マネージャ・サーバから受信された情報に基づいて設定する。
【００５７】
前述の通り、ジョブ処理命令は、ＭＦＤの動作又は機能に対する影響を有する走査設定、ファイル宛先やその他のパラメータに関し得る。走査設定の例には、解像力、濃度、走査モード、カラー／白黒、用紙サイズ、ファイル形式等がある。ファイル宛先の例には、前述のような、文書マネージャ・サーバに接続されたバックエンド、ミドルウェア、電子メール又はファクシミリ・ネットワーク・アプリケーションの何れかを含み得る。
【００５８】
図7A乃至図７Cは、前述の処理を用いてユーザが現時にネットワークにログオンした後に行われる処理を示す。特に、図７Aは走査済画像を電子メール送信する処理に関し、図７Bは走査済画像をファックスする処理に関し、図７Cは、バックエンド・アプリケーションに処理済画像データを送出する方法に関する。
【００５９】
工程７０１で、ユーザは、カード読み取り装置にスマートカードを挿入してログイン手順を起動させることによって、図６A乃至図６Bに表すように、ネットワーク・ログイン手順を起動させる。前述の通り、スマートカードは必要でないが、何れかのメモリ装置、又は、識別関連情報を供給することが可能な何れかの装置を用いることができる。ユーザは次いで、図6Ａ乃至図６Ｂにおいて前述したように、工程７０２で、ＰＩＮ又は生体特徴の形式のユーザ特有認証情報を入力する。ログインが工程７０３で首尾良く行われた場合、文書マネージャ・サーバは工程７０４でプロファイル、プラグインやその他の必要な情報そＭＦＤに送信する。この情報は、文書マネージャ・サーバに格納されたプロファイルからの情報であり得るか、又は、認証後にディレクトリ・サーバから受信されたユーザ選好情報でもあり得る。この情報を、とりわけ、図３Ａ及び図３Ｂに表すような、カスタマイズされたインタフェースに用いることが可能である。カスタマイズされたインタフェースが表示されると、ユーザは、複数の利用可能なオプション、バックエンド・システム、及び装置設定から選択することができる。
【００６０】
「電子メール」タブが工程705で押されると、MFDから電子メールを送出する処理が起動される。このオプションが選択されると、ユーザには工程７０６で、ユーザ・インタフェース（工程７０７で、受領対象のリスト、及び送信電子メールの件名をユーザが修正することを可能にする）が提示される。ユーザが適切な情報を入力すると、開始キーが、工程７０８で、MFD上でイネーブルされ、ユーザは、画像の走査、及び後の電子メールを起動させることができる。ネットワークに対してユーザが既に認証されているので、別個のログインは通常、電子メールへのアクセスに必要でない。画像処理及び後の電子メールを完了した後、ユーザには次いで、更なる処理動作を行うオプションが工程７０９でプロンプトされる。ユーザが更なる処理を望む場合、処理は工程704に戻る。ユーザが、工程709で、更なる処理をもう行いたくない旨を示す選択を行った場合、画像処理が工程710で終結される。
【００６１】
ユーザが工程711で、「ライト・ファックス」タブを選択した場合、処理は工程712に進む。工程712では、文書マネ―ジャ・サーバからのMFDによって受信されるプロファイル、関連したプラグイン情報やその他の関連情報をMFDによって用いて、ファクシミリ・アプリケーションへのアクセスに別の認証処理が必要であるかを判定する。認証が必要でない場合、「ライト・ファックス」ユーザ・インタフェース３０２が、図３Ａに示すように、工程７１４で表示される。工程７１３で、ファックス・アプリケーションへのアクセスにユーザ認証が必要な場合、ユーザにはログイン・ユーザ・インタフェースがプロンプトされ得るか、又は、ユーザには、図６A乃至図６Bのフローチャートに表すようにファクシミリ・サーバによって認証される対象の自分のスマートカード及び対応するPIN又はバイオメトリックを入力するようプロンプトされる。要求された認証情報をユーザが入力し、送出すると、ファクシミリ・サーバは、登録済ユーザのデータベースに対してユーザ認証を検査する。
【００６２】
ユーザがファクシミリ・サーバによって認証された場合、「ライト・ファックス」ユーザ・インタフェース３０２が工程714で表示され、イネーブルされる。しかし、ユーザ認証が首尾良く行われなかった場合、エラー・メッセージがユーザに向けて（例えば、システム・メッセージ領域３６０に）表示される。ユーザが認証されると、工程715で、ユーザは、請求コード、ファックス番号、送信ファックスの件名、及び何れかの更なる任意の情報を入力することができる。認証が図６Ａ乃至図６Ｂと同様に行われると、前述のユーザ入力情報を、サーバにおいて取り出されるユーザ特有選好に含め、ＭＦＤに送信することができる。この情報が入力されると、ユーザは、工程７０８で、「開始」キーを押すことにより、画像の処理を起動させ、画像の後続ファクシミリ送信（後述する）を起動させる。ユーザには次いで、更なる処理動作を行うオプションが工程709でプロンプトされる。ユーザが更なる処理を望む場合、処理は工程７０４に戻る。ユーザが工程７０９でいいえを選択した場合、画像処理は終結する。
【００６３】
「ドキュメンタム」タブ３２０、又は何れかの他のバックエンド・アプリケーションを表すタブが工程717で押された場合、文書マネージャ・サーバ４０からMFDによって受信されるソフトウェア・プラグイン（やその他の情報）を用いて、バックエンド・システムへのアクセスをユーザが得るために後続認証処理が必要であるかが工程718で判定される。次いで、工程７１９で、スマートカードを入力し、後にPIN及び／又は生体情報を入力することによって、図６A乃至図６Bに表されたものと同様な認証手順を用いる旨がユーザにプロンプトされ得る。あるいは、「ドキュメンタム」ログイン・ユーザ・インタフェース３０３が工程７１９で表示される。この認証手順では、ユーザは「ユーザ名」、「パスワード」及び「ドックベース」を入力し、MFDは前述のパラメータをバックエンド・システムに認証のために送信する。バックエンド・システムは次いで、入力された「ユーザ名」及び「パスワード」を前述の格納されたパラメータのデータベースと比較し、ユーザにシステムのアクセスが認可されているかを判定する。しかし、ユーザ認証が首尾良く行われなかった場合、エラー・メッセージが、例えば、システム・メッセージ領域３６０に表示され、ユーザには、システムへのアクセスが拒否される。認証が首尾良く行われると、ユーザ特有パラメータを、認証サーバから取り出し、MFDにおいて用いて、設定及び動作を自動的に調節することができる。
【００６４】
ドキュメンタム・バックエンド・アプリケーションへのアクセスをユーザが付与されると、画像をMFDによって処理することが可能であり、管理、格納、取り出しやその他のファイル管理動作を、工程７２０で表示されるバックエンド・アプリケーション・インタフェースを用いて処理済画像に対して行うことが可能である。ユーザは、走査済画像の処理に関する索引情報、メタデータやその他のカスタマイズされた処理情報を送出することもできる。前述のパラメータは、前述の通り、認証サーバからダウンロードされたユーザ特有パラメータに含めることもできる。
【００６５】
適切な情報をユーザが入力すると、開始キーが工程７０８でイネーブルされ、ユーザは、以下に説明するようにバックエンド処理を起動させることが可能である。ユーザには次いで、更なる処理動作を行うオプションが工程709でプロンプトされる。更なる処理が要求された場合、処理は工程７０４に戻る。処理の終結が工程７０９で要求された場合、画像処理を工程７１０で終結させる。何れの他の適切なバックエンド・アプリケーションについても、ドキュメンタム・アプリケーションに関して説明した処理を同様に行い、ユーザ・インタフェースを同様にカスタマイズすることが可能である。
【００６６】
更に、MFDのユーザは、文書マネージャ・サーバ（ファックス・サーバ、電子メール・サーバ、ファイル形式変換システム、OCRシステム、文書管理システム及びファイル格納システムなど）に接続されたアプリケーションへの文書のルーティングを文書マネージャ・サーバに要求することが可能である。この場合、ジョブ情報は文書と、文書をアプリケーションにルーティングする要求とを含む。
【００６７】
図8は、文書マネージャ・サーバからMFDに送出されたソフトウェア・プラグインに含まれたコードの例である。プラグインがMFDによって受信され、処理されると、MFDは、特定の処理命令、索引データ又はメタデータを画像ファイルに、画像処理装置によって処理される前にユーザが追加することを可能にする動作を行うことが可能である。MFDがバックエンド・パラメータを受信し、MFDによってイネーブルされるバックエンド・アプリケーションを判定するまで、ソフトウェア・プラグインは任意的には、ＭＦＤに送信されない。MFDは次いで、特定のバックエンド・アプリケーションがイネーブルされている旨を示すメッセージを文書マネージャ・サーバに送信する。文書マネージャ・サーバは、必要な修正全てをMFDユーザ・インタフェース及び対応する機能に対して行うことを可能にするソフトウェア・プラグインをMFDに送信することによって応答する。プラグインは、特定のネットワーク・アプリケーションへのアクセスをユーザが獲得するのに必要なユーザ認証のタイプに関する判定をMFDが行うことも可能にする。更に、ソフトウェア・プラグインは、別のシステム上でユーザが認証されるかを判定し、特定のアプリケーションへのアクセスをユーザが有することをその認証手順が可能にするか否かを判定するようMFD装置をイネーブルする。ユーザ・インタフェース及びMFDを、前述の情報及びプラグインに基づいてカスタマイズして、特定のバックエンド・システムの特定の機能へのユーザ・アクセスを可能にすることもできる。前述の機能を以下に更に詳細に説明する。
【００６８】
ユーザが認証されると、プラグイン情報を認証サーバからMFDに送信することができる。図６A及び図６Bに関して説明するように、ユーザがスマートカード及び／又は生体情報を用いて認証された場合、認証サーバは、ユーザ特有パラメータが格納されているか否かを判定する。これは、受信されたユーザID及びディジタル署名に対応する。ソフトウェア・プラグインは、サーバからMFDに送信されたユーザ特有認証情報のうちの１つであり得る。
【００６９】
図９A乃至図９Bは、一実施例による、文書をバックエンド・システムに送出する例示的な方法を表すフローチャートを示す。前述の通り、バックエンド・システムは例えば、文書管理システム又はスキャン・ファイル・システムであり得る。工程９００では、ＭＦＤユーザは、図６A乃至図６Ｂにおいて前述したネットワークにログインし、バックエンド・システムによって画像を処理するためのユーザ特有パラメータを取り出すことが可能である。工程９０５では、ＭＦＤユーザは、文書管理システムなどのバックエンド・システムを選択することが可能である。ＭＦＤは次いで、文書マネージャ・サーバ４０から受信された情報（例えば、プロファイル、プラグイン等）を検査し、バックエンド・システムへのログインがユーザに要求されるかを工程９０７で判定する。ユーザ・ログインが要求されない場合、処理は工程９１０に続く。ログインが要求される場合、ユーザは工程９０９で、ユーザ名及びパスワードの入力によるか、又は図６Ａ乃至図６Ｂで前述したようにバックエンド・システムにログインする。工程９１０で、MFDユーザは、MFD入力装置を用いて文書タイプを選択することが可能である。例えば、文書タイプのメニューを、MFDのタッチ感応型ユーザ・インタフェースを用いて上記タイプのうちの１つをユーザが選択することが可能であるように表示することが可能である。文書タイプを、バックエンド・システムにおいて文書を格納する場合に索引情報として用いることが可能である。工程９１５では、MFDユーザは、文書がバックエンド・システムにおいて格納される宛先フォルダを選択することが可能である。やはり、これは、ユーザ・インタフェース上に表示されたリストからフォルダを選択することによって行うことが可能であるか、又は宛先フォルダを、キーボードを用いて入力することが可能である。工程９２０では、MFDユーザは、文書名及び／又はその他の索引情報名を入力することが可能である。工程925では、ユーザは口座番号を入力することが可能である。口座番号は、文書マネージャ・サーバ４０、及び／又はバックエンド・システムによって管理目的（請求、会計、活動モニタリングなど）で用いることが可能である。工程９３０では、ユーザは、文書タイプが請求書の場合、請求書上の金額を選択することが可能である。工程932では、ユーザは、前述の通り、処理済画像を暗号化するか、又は、処理済画像を暗号化通信に挿入することにすることができる。他のフィールドをMFDディスプレイ上に表示し、各種文書の情報（例えば、数値）をユーザが入力する旨をプロンプトすることが可能である。前述の設定又は選好は何れも、ユーザが認証されると認証サーバから取り出されるユーザ特有選好に含まれ得る。前述の設定に基づいて、ＭＦＤ走査設定、選好、及び汎用的な機能が自動的に、又は他のやり方で影響を受け、ファイルの内容に基づき得る。
【００７０】
工程９３５で、文書がMFD走査表面上で設定され、工程９４０で、文書が走査される。工程９４１では、MFDは、処理済画像の暗号化をユーザが選択したかを判定する。暗号化が要求されている場合、画像が工程９４３で暗号化される。さもなければ、処理済画像が工程９４５で文書マネージャ・サーバ40に直接（例えば、XMLファイルとして）送信される。ジョブ情報は、選択されたバックエンド・システム、走査済文書、文書をバックエンド・システムにルーティングする要求、文書タイプ、宛先フォルダ、文書名、口座番号、金額、及びファイルが暗号化されているか否かを含み得る。工程950では、文書マネージャ・サーバ４０は、MFDから受信されたジョブ情報を処理する。一実施例では、文書マネージャ・サーバ４０は文書を中間処理システムに、選択されたバックエンド・システムに基づいて送出する。すなわち、文書マネージャ・サーバ４０は、選択されたバックエンド・システムが特定のファイル形式を必要とすることを認識することが可能である。文書マネージャ・サーバ４０は、バックエンド・システムに送出する前に、MFDから受信された文書が適切な形式にあることを自動的に保証する。工程955では、文書マネージャ・サーバ４０は、処理済ジョブ情報の少なくとも一部（例えば、文書）をバックエンド・システムに送信する。
【００７１】
図１０A乃至図１０Bは、文書マネージャ・サーバ40を介してMFDを用いてファックスを送出する方法の例を示す。工程１０００では、MFDユーザは、図６A乃至図６Bにおいて前述したようにネットワークにログインし、画像をバックエンド・システムによって処理するためのユーザ特有パラメータを取り出すことが可能である。工程１００５で、MFDユーザは、図３A乃至図３Bに示すファックス・ボタン３１５などのファックス・ボタンを押すことが可能である。ＭＦＤは次いで、文書マネージャ・サーバ４０から受信された情報（例えば、プラグイン、プロファイル等）を検査し、ファクシミリ・サーバへのログインがユーザに要求されるかを工程1007で判定する。ユーザ・ログインが要求されない場合、処理は工程1010に続く。ログインが要求される場合、ユーザは工程1009で、図６Ａ乃至図６Ｂで前述したようにファクシミリ・サーバにログインする。あるいは、ユーザは、図３Aに表すインタフェースと同様なインタフェースを用いて認証することができる。工程１０１０で、ログインが首尾良く行われた場合、MFDユーザは、MFD入力装置（タッチ画面やキーパッドなど）を用いてファックス番号を入力することが可能である。あるいは、グローバル・ディレクトリ６０にアクセスした後、ファックス番号を表示し、選択することが可能である。工程１０１５で、MFDユーザはファックス・メモを入力することが可能である。このファックス・メモは、ファックスされる文書とともに送信される。ユーザはファックス・メモを、MFD入力装置を用いて入力することが可能である。工程１０２０乃至１０２５では、ユーザは、MFDから文書をファックスするために、請求コードを、必要な場合、入力することが可能である。請求コードの入力が必要か否かはプロファイル・パラメータによって判定することが可能である。請求コードは、ファックス・サービスに対して請求されるエンティティに対応する。前述の設定又は選好は何れも、ユーザが認証されると認証サーバから取り出されるユーザ特有選好に含まれ得る。前述の設定に基づいて、ＭＦＤ走査設定、選好、及び汎用的な機能が、自動的に設定されるか、又は影響を受け、ファイルの内容に基づき得る。
【００７２】
工程１０３０では、文書はMFD走査表面上で設定することが可能である。工程１０３５では、走査設定を所望の場合、例えば、ユーザ・インタフェース上に表示される走査設定メニューにアクセスすることによって変えることが可能である。工程１０３７では、ユーザは、前述の通り、処理済画像を暗号化するか、又は、処理済画像を暗号化通信に挿入することにすることができる。文書は次いで工程１０４０で走査される。工程１０４１で、ファックスの暗号化をユーザが要求したか否かに関する判定を次いで行う。処理済画像が暗号化対象の場合、工程１０４２で、MFDは、取り出された暗号化データを用いてデータを暗号化する。暗号化又は非暗号化ジョブ情報は、工程１０４５で、文書マネージャ・サーバ40に、例えば、XMLファイルとして送出される。ジョブ情報はこの場合、走査済文書、文書をファックス・サーバにルーティングする要求、請求コード、走査パラメータ、及び指定されたファックス番号を含み得る。これらは全て、手作業で、又は自動的に（認証サーバから得られたユーザ特有選好情報に基づいて）入力することができる。工程1050では、文書マネージャ・サーバ４０は、MFDから受信されたジョブ情報を処理する。工程1055で、文書マネージャ・サーバ４０は、処理済ジョブ情報の少なくとも一部をファックス・サーバに送信してファックス送信を完了する。
【００７３】
図１１は、スマートカードのユーザ認証に続いて、電子メールを介したセキュアな画像データ送信の方法を表す。フローチャートに表す処理の開始前に、ユーザは、図１０A乃至図１０Bに表すファクシミリ処理と同様な走査及び処理の選好を入力する。工程１１０５では、ユーザは、MFDにおいて画像の処理を起動させる。工程１１１０で、ＭＦＤは画像データを処理し、工程１１１５で、ＭＦＤはユーザのディジタル署名を、挿入されたスマートカードから取り出す。他の暗号化情報を、取り出すことが可能であり、スマートカード以外の場所から取り出すこともできる。工程1120で、MFDは、工程1115でスマートカードから取り出されたユーザのディジタル署名又は暗号化情報を用いることによって画像データを暗号化する。次いで、工程１１２５で、MFDは、暗号化データを文書マネージャ・サーバに送出する。工程1130で、文書マネージャ・サーバは、処理済画像データを文書マネージャ・サーバを介して１つ又は複数のネットワーク・アプリケーションに送信することによって暗号化画像データを、特定された宛先又はネットワーク・アプリケーションに格納する。
【００７４】
工程１１３５では、ユーザは、前述のネットワークの１つにアクセスにすることができる処理装置を用いて暗号化画像データにアクセスすることができる。ユーザは、自分の処理装置における暗号化データに対するアクセスを要求する場合、暗号化画像データを復号するために、前述の処理装置において認証されなければならない。よって、図１１に表すように、ユーザが、工程１１３５で暗号化データに自分のパソコン装置からアクセスした場合、工程１１４０で、スマートカード認証が行われる。ユーザは次いで、工程１１４５で、スマートカードをスマートカード読み取り器に挿入し、工程１１５０で、スマートカード上に格納された識別番号に対応するPINを入力する。工程１１５５で、MFD又はスマートカード読み取り器は、pinコードが正確であることを検証し、工程１１６５でユーザがメッセージを復号し、開くことを可能にする。しかし、入力されたPINコードが正確でないか、又は、画像処理装置若しくはスマートカード読み取り器によって確認することが可能でない場合、ファイル・アクセスが工程１１６０で拒否される。
【００７５】
図１２は、本発明の実現に用いるハードウェアの概要を示す。スマートカード読み取り器１２０５は、MFD１０乃至３０内に配置されるか、MFD１０乃至３０において配置されるか、又はMFD１０乃至３０付近に配置される。前述の通り、スマートカード読み取り器１２０５は、MFD１０乃至３０の外の位置に配置され、必要な場合にMFD１０乃至３０にのみ通信を提供し得る。前述の通り、スマートカード読み取り器以外の装置（メモリ読み取り器、近接センサや何れかのその他の所望の装置など）を用いることができる。前述の通り、スマートカード読み取り器１２０５、生体検出装置１２００、及びMFD１０乃至３０は、周知のプロトコル及び信号伝送手法を用いて無線又は有線の接続１００を介して通信する。スマートカード読み取り器１２０５は、マルチファクタ・ユーザ認証を提供するためにバイオメトリック装置１２００とともに実現することもできる。生体検出装置１２００は、指紋、網膜スキャン、音声認識、顔認識成分などのユーザ特性や、何れかの他の所望の特性などのユーザ特性を検出する機構を含み得る。この入力生体情報は次いで、スマートカード自体に格納された生体パラメータと比較される。入力生体情報が、スマートカードに格納された生体情報と一致する場合、ユーザには、システムへのアクセスが首尾良く付与される。前述の装置と、各装置の役割との間の相互作用は前述している。図１２も、以下に更に詳細に説明する文書マネージャ・サーバ４０、LDAPサーバ６０及びネットワーク・アプリケーション・サーバ７０乃至９０を示す。
【００７６】
図１３乃至図１４は、中央処理装置（CPU）1305と、内部バス1310によってCPU1305に接続される種々の構成要素とを含むMFD２０の例を示す。CPU1305は、MFD２０の状態を監視しながら複数のタスクを処理する。CPU1305に接続された構成要素は、読み取り専用メモリ（ROM）1345、ランダム・アクセス・メモリ（RAM）1315、ハード・ディスク・ドライブ（HDD）1320、フロッピー（登録商標）・ディスク1355を受容することができるフロッピー（登録商標）・ディスク・ドライブ1350、通信インタフェース（I／F）1330、及びモデム装置1360を含む。更に、制御パネル1375、スキャナ装置1370、プリンタ装置1335、及び画像処理装置1340をCPU1305にバス1310によって接続することが可能である。I／F1330及びモデム装置1360は共に通信ネットワーク100に接続される。
【００７７】
好ましい実施例では、MFD２０のプログラム・コード命令はHDD１３２０上にIDカードを介して格納される。あるいは、プログラム・コード命令をFDD１３５０によって読み取り、RAM１３１５に転送し、CPU１３０５によって実行して命令を実施することができるようにプログラム・コード命令をフロッピー（登録商標）１３３５上に格納することが可能である。前述の命令は、前述のMFDの機能を行うための命令であり得る。前述の命令によって、MFD２０が、文書マネージャ・サーバ４０とブラウザ２５を介して相互作用し、MFD２０の制御パネル1335及び画像処理装置を制御することが可能になる。
【００７８】
MFD２０の起動中に、プログラム・コード命令は、CPU1305によって読み取り、RAMに転送し、CPU1305によって実行することができる。あるいは、プログラム・コード命令はROM1345にロードすることができる。したがって、本発明では、フロッピー（登録商標）・ディスク1355、HHD1330、RAM1315及びROM1345の何れかが、プログラム・コード命令を格納することができるコンピュータ読み取り可能な記憶媒体に対応する。本発明による、命令を格納することが可能な他の装置及び媒体には、例えば、磁気ディスク、光ディスク（DVDを含む）、光磁気ディスク（MOSなど）や、半導体メモリ・カード（PCカード、コンパクト・フラッシュ・カード、スマート・メディア、メモリ・スティック等など）があげられる。
【００７９】
好ましい実施例では、制御パネル1375は、MFD20のユーザが文書マネージャ・サーバ40と相互作用することを可能にする情報を表示するユーザ・インタフェース（図3A乃至図３Bに示すユーザ・インタフェース302乃至303など）を含む。表示画面は、LCD、プラズマ・ディスプレイ装置、又は陰極線管CRTディスプレイであり得る。ディスプレイ画面は、制御パネル1375と一体化されていなくても埋め込まれていなくてもよい一方、有線接続又は無線接続によって制御パネル1375に単に結合することができる。制御パネル１３７５は、情報を入力するためのキー、又は種々の動作を要求するためのキーを含み得る。あるいは、制御パネル1375及びディスプレイ画面は、キーボード、マウス、リモコン、ディスプレイ画面のタッチ、音声認識、若しくは眼球運動追跡、又はそれらの組み合わせによって動作させることができる。
【００８０】
図15は、本発明の一実施例によるサーバ40、50、60のブロック図を示す。図１６はサーバの概略図である。サーバ４０、５０及び６０は、システム・バス１５０によっていくつかの他の装置と通信する中央処理装置１０１（CPU）を含む。サーバ４０、５０及び６０は、文書の認証機能、ルーティング機能、及び管理機能を実現するうえで用いる一時格納値をホスティングするランダム・アクセス・メモリ（RAM）１９０を含む。
【００８１】
十分なメモリ及び処理機能を備えた通常のパソコン又はワークステーションも、サーバ40として動作するよう構成され得る。中央処理装置101は、大量データを送信し、通信、及びデータベース・サーチにおけるかなりの数の数値計算を実行するよう構成される。ペンティアム(登録商標)４マイクロプロセッサ（インテル社によって製造された3.4GHzペンティアム(登録商標)４など）又はアドバンスト・マイクロ・デバイセズ（AMD）社のアスロン６４  3.5GHzプロセッサをCPU１０１に用いることができる。他の適切なプロセッサ、及び複数のプロセッサ又はワークステーションも用いることができる。
【００８２】
ROM１８０は好ましくは、半導体の形態で含まれるが、光媒体を含む他の読み取り専用メモリ形態を用いてアプリケーション・ソフトウェア及び一時的結果をホスティングすることができる。ROM180は、CPU101によって用いるためにシステム・バス150に接続する。ROM180は、MFDからの走査済文書に関連した前述の種々の認証機能、ルーティング機能及び管理機能を行うことが、CPU101によって実行されると可能であるコンピュータ読み取り可能な命令を含む。入力コントローラ１６０は、システム・バス１５０に接続し、周辺機器（キーボード１６１や、マウス１６２などのポインティング装置を含む）とのインタフェースを備える。入力コントローラ１６０は、ＰＳ２ポート、又は、例えば、ユニバーサル・シリアル・バス（ＵＳＢ）ポートの形態でマウス・ポートなどの種々のポートを含み得る。入力コントローラ160のキーボード・ポートは、ミニＤＩＮポートの形式であるが、他のコネクタも用いることができる。サウンド・カード上の外部ジャックによってマイクロフォン・スピーカ又は外部音源をユーザが取り付けることを可能にするサウンド・カード接続を入力コントローラ１６０が備える。入力コントローラ１６０は更に、シリアル・ポート又はパラレル・ポートも含み得る。
【００８３】
ディスク・コントローラ１４０は、ＩＤＥコントローラの形態のものであり、リボン・ケーブルを介して、フロッピー（登録商標）・ディスク・ドライブ１４１、並びに、ハード・ディスク・ドライブ１４２、CD-ROMドライブ１１８、及びコンパクト・ディスク１１９に接続する。更に、PCI拡張スロットが、CPU１０１をホスティングするディスク・コントローラ１４０上又はマザーボード上に備えられる。拡張グラフィックス・ポート拡張スロットが備えられ、主メモリへの高速アクセスを備えた三次元グラフィックスを提供する。ハード・ディスク１２１は、読み取り可能及び書き込み可能であり得るCD-ROMも含み得る。通信コントローラ130は、例えば、ネットワーク101であり得る、ネットワーク131へのイーサネット（登録商標）接続によって接続を備える。一実施例では、ネットワーク131、及び通信コントローラ130への接続は、通信コントローラ130に接続する複数の接続（ケーブル・モデム接続、DSL接続、ダイアルアップ・モデム接続及び同様なものを含む）によって行われる。
【００８４】
入出力コントローラ１２０は、外部ハード・ディスク１２１、プリンタ１２２（MFD１０‐３であり得る）などの外部構成部分への接続も、例えば、TCP／IP、IPX、IPX／SPXやNetBEUIを含むがこれらに限定されない何れかの所望のネットワーク・プロトコルをサポートするRS232ポート、SCSIバス、イーサネット（登録商標）や他のネットワーク接続によって備える。
【００８５】
ディスプレイ・コントローラ１１０は、システム・バス１５０をディスプレイ装置（陰極線管（CRT）１１１など）に相互接続する。CRTが示されているが、種々の他のディスプレイ装置（LCDやプラズマ・ディスプレイ装置など）を用いることができる。
【００８６】
本明細書記載の機構及び処理は、当該技術分野における当業者が認識するように、本明細書の教示によってプログラムされる通常の汎用マイクロプロセッサを用いて実現することができる。適切なソフトウェア・コーディングを、やはり当該ソフトウェア技術分野における当業者に明らかになるように、本願開示の教示に基づいて、熟練したプログラマによって容易に作成することが可能である。特に、本発明による、文書を認証し、ルーティングし、管理するコンピュータ・プログラムは、当該技術分野における当業者によって認識されるように、C、C++、フォートラン及びベーシックを含むがこれらに限定されないいくつかのコンピュータ言語で記述することが可能である。本発明は、当該技術分野における当業者に容易に明らかになるように、特定用途向集積回路の作製、又は、通常の回路構成部分の適切なネットワークの相互接続によって実現することもできる。よって、本発明は、本明細書記載の実現形態に限定されず、ウェブ・インタフェース、http等の代替策である、インタフェースを生成する通常のプログラミング及び方法を用いることができる。
【００８７】
本発明はよって、記憶媒体上でホスティングすることができ、本発明による処理を行うようコンピュータをプログラムするために用いることが可能な命令を含み得るコンピュータ・ベースの製品も含む。この記憶媒体は、何れかのタイプのディスク（フロッピー（登録商標）・ディスク、光ディスク、CD-ROM、光磁気ディスク、ROM、RAM、EPROM、EEPROM、フラッシュ・メモリ、磁気カード若しくは光カード、又は電子的な命令を格納するのに適切な何れかのタイプの媒体を含む）を含み得るが、これらに限定されない。
【００８８】
効果的には、本発明には、それぞれの内容全体を本明細書及び特許請求の範囲に援用する、西暦2001年3月1日付け出願の米国特許出願第09/795,438号明細書、西暦2002年9月16日付け出願の米国特許出願第10/243,645号明細書、及び西暦2002年11月15日付け出願の米国特許出願第10/294,607号明細書に開示された、文書を管理するシステム及び方法を組み入れることが可能である。
【００８９】
明らかに、本発明の数多くの更なる修正及び変形が上記教示に照らして考えられる。よって、特許請求の範囲記載の範囲内で、本明細書で具体的に記載したやり方以外で実施することができるということを理解すべきである。
【００９０】
本出願は、内容を本明細書及び特許請求の範囲に援用する、西暦2005年3月30日付け出願の米国優先権出願第11/092,831号明細書に基づいている。
【図面の簡単な説明】
【００９１】
【図１】本発明の一実施例による全体システム構成を示すブロック図である。
【図２】本発明の一実施例による、画像処理装置及び文書マネージャ・サーバの構成部分を示すブロック図である。
【図３Ａ】本発明の一実施例による、画像処理装置上に表示されるファックス・スキャン・インタフェースの例を示す図である。
【図３Ｂ】本発明の一実施例による、画像処理装置上に表示されるバックエンドシステム・スキャン・インタフェースの例を示す図である。
【図４Ａ】本発明の一実施例による、複合機がプロファイル情報を得る工程を示すフローチャートである。
【図４Ｂ】本発明の一実施例による、プロファイル情報を受け取ると複合機によって行われる工程を示すフローチャートである。
【図５】本発明の一実施例による、ユーザ認証において行われる工程を示すフローチャートである。
【図６Ａ】本発明の一実施例による、マルチファクタ認証を用いたユーザ認証において行われる工程を示す図である。
【図６Ｂ】本発明の一実施例による、マルチファクタ認証を用いたユーザ認証において行われる工程を示す別の図である。
【図７Ａ】本発明の一実施例による、初期ユーザ認証後の更なるネットワーク・アプリケーションのユーザ認証処理を示す図である。
【図７Ｂ】本発明の一実施例による、初期ユーザ認証後の更なるネットワーク・アプリケーションのユーザ認証処理を示す別の図である。
【図７Ｃ】本発明の一実施例による、初期ユーザ認証後の更なるネットワーク・アプリケーションのユーザ認証処理を示す更に別の図である。
【図８】本発明の一実施例による、バンクエンド・アプリケーションに関連したプラグインの例示的なコードを示す図である。
【図９Ａ】本発明の一実施例による、文書をバックエンド・システムに配信する際に行われる工程を示す図である。
【図９Ｂ】本発明の一実施例による、文書をバックエンド・システムに配信する際に行われる工程を示す別の図である。
【図１０Ａ】本発明の一実施例による、ファクシミリの送出において行われる工程を示す図である。
【図１０Ｂ】本発明の一実施例による、ファクシミリの送出において行われる工程を示す別の図である。
【図１１】本発明の一実施例による、処理済画像データの暗号化の際に行われる工程を示すフローチャートである。
【図１２】本発明の一実施例を実現するために用いるハードウェア部分集合をグラフィカルに表した図である。
【図１３】本発明の一実施例による画像処理装置を示すブロック図である。
【図１４】本発明の一実施例による画像処理装置を示す概略図である。
【図１５】本発明の一実施例によるサーバを示すブロック図である。
【図１６】本発明の一実施例によるサーバを示す概略図である。
【図１】
2008537188.tif 000003
【図２】
2008537188.tif 000004
【図３Ａ】
2008537188.tif 000005
【図３Ｂ】
2008537188.tif 000006
【図４Ａ】
2008537188.tif 000007
【図４Ｂ】
2008537188.tif 000008
【図５】
2008537188.tif 000009
【図６Ａ】
2008537188.tif 000010
【図６Ｂ】
2008537188.tif 000011
【図７Ａ】
2008537188.tif 000012
【図７Ｂ】
2008537188.tif 000013
【図７Ｃ】
2008537188.tif 000014
【図８】
2008537188.tif 000015
【図９Ａ】
2008537188.tif 000016
【図９Ｂ】
2008537188.tif 000017
【図１０Ａ】
2008537188.tif 000018
【図１０Ｂ】
2008537188.tif 000019
【図１１】
2008537188.tif 000020
【図１２】
2008537188.tif 000021
【図１３】
2008537188.tif 000022
【図１４】
2008537188.tif 000023
【図１５】
2008537188.tif 000024
【図１６】
2008537188.tif 000025
【国際調査報告】
2008537188.tif 000026